(57)【特許請求の範囲】
【請求項１】
データ領域と、該データ領域に記憶される所定単位の動的データをトラックとして管理する管理領域とを記憶する記憶媒体から、上記管理領域に記憶される管理データに応じて上記トラックを再生する再生手段と、
上記トラックの中間部を指示する指示手段と、
上記指示手段によって指示された上記トラックの中間部を含み、且つ、上記トラックの先頭部と後端部の所定時間のデータが除かれた新たなトラックを管理するように、上記管理領域の管理データを更新する制御手段と、
を備えることを特徴とする編集装置。
【請求項２】
第１の時間と、第２の時間を設定可能な時間設定手段を備え、
上記制御手段は、
上記中間部から第１の時間前を新たな先頭部とし、上記中間部から第２の時間後を新たな後端部とする、新たなトラックを管理するように、上記管理領域の管理データを更新することを特徴とする請求項１に記載の編集装置。
【請求項３】
上記制御手段は、
上記トラックを管理する管理データが、上記新たなトラックを管理するように、上記管理データを更新するようにしたことを特徴とする請求項１に記載の編集装置。
【請求項４】
上記制御手段は、
上記新たなトラックを管理する新たな管理データを上記管理領域に記憶させるようにしたことを特徴とする請求項１に記載の編集装置。
【請求項５】
上記管理データは、上記トラックの一部の静止画像を上記トラックごとに管理し、
さらに、上記静止画像、及び上記再生手段により再生されるトラックの動的データを表示する表示手段を備え、
上記指示手段により上記静止画像が指示されることにより、上記再生手段は上記静止画像に対応する上記トラックを再生し、
上記制御手段は、
上記中間部から第１の時間前を新たな先頭部とし、上記中間部から第２の時間後を新たな後端部とする新たなトラックを管理する管理データを上記管理領域に記憶させると共に、上記中間部に対応する静止画像を上記新たなトラックに対応する静止画像として管理するように制御することを特徴とする請求項１に記載の編集装置。
【請求項６】
データ領域と、該データ領域に記憶される所定単位の動的データをトラックとして管理する管理領域とを記憶する記憶媒体から、上記管理領域に記憶される管理データに応じて上記トラックを再生する再生手段と、
少なくとも、一つの上記トラックを指示する指示手段と、
上記指示手段によって指示された上記トラックの中央部を含み、且つ、上記トラックの先頭部と後端部の所定時間のデータが除かれた新たなトラックを管理するように、上記管理領域の管理データを更新する制御手段と、
を備えることを特徴とする編集装置。
【発明の詳細な説明】
【０００１】
【発明の属する技術分野】
本発明は、例えば記憶媒体にトラック単位で記録されているデータの編集として、トリミング編集を容易に行うことが可能とされる編集装置に関するものである。
【０００２】
【従来の技術】
現在、カメラ等の撮像装置と、映像及び音声の記録再生が可能なビデオデッキが一体化された可搬型のビデオカメラが広く普及している。その一般的な利用形態としては、ユーザは好みの被写体を撮影しながら録画を行うようにされる。そして、この録画された画像／音声を再生して、ビデオデッキの表示部、或いは外部モニタ装置に表示させて鑑賞するようにされる。
【０００３】
【発明が解決しようとする課題】
ところで、ビデオカメラのユーザとしては、単に撮影録画を行うだけではなく、在る程度の編集を行うことで、より価値の高い作品に仕上げたいといった要望があることは当然考えられる。
このため、従来のビデオカメラなどにおいては、各種編集機能が設けられているものもある。そして、このような編集の１つとして、例えば動画像を録画した録画ファイルのデータから中間部のデータだけを抜き出し（トリミング）、その前後のデータ削除するというトリミング編集が挙げられる。
【０００４】
しかしながら、従来のビデオカメラにおいてデータのトリミング編集を行うには、先ず、ユーザは、編集対象とされる録画ファイルを選択し、選択した録画ファイルを再生させた後、この再生画像を見ながらトリミング範囲の始点と終点の２点を指定するという操作が必要になる。このため、トリミング編集作業は時間と手間がかかる煩わしい作業であることは否めなかった。
【０００５】
また、例えば１つの記憶媒体に、複数のプレーヤのゴルフスイングなどの動画像を録画した場合には、これらの録画ファイルから各プレーヤのショット（インパクト）画像だけをトリミング編集することがある。
このような場合には、トリミング編集後の複数のファイルを連続的に再生した時に見易いものとするために、トリミング編集後のファイルの録画時間が一定となるようにすることが望ましい。
しかしながら、実際のトリミング編集作業では、ユーザが再生画像を見ながら２点（始点、終点）を指定しているため、トリミング編集後のファイルの録画時間を同一とすることは困難であった。
【０００６】
さらに、上記したビデオカメラにおいては、記憶媒体に録画されている各ファイルの代表画像（静止画像）などを表示することで、ファイル内容を視覚的に把握できるようにしたものがある。
このような代表画像は、例えば動画像を録画したファイルであれば、その先頭のフレーム（又はフィールド）画像とされる。
このため、トリミング編集を行った場合には、トリミング編集後のファイルには代表画像の画像データが除かれてしまうということが考えられる。
このような場合には、トリミング編集後の録画データの内容と、その録画データの代表画像が対応しないものとなるため、代表画像を変更するための編集を、トリミング編集とは別に行う必要があった。
【０００７】
【課題を解決するための手段】
そこで本発明では上記した課題を考慮して、例えば記憶媒体に記録されているデータのトリミング編集を容易に行うことができる編集装置を提供することを目的とする。
【０００８】
このため、本発明の編集装置は、データ領域と、このデータ領域に記憶される所定単位の動的データをトラックとして管理する管理領域とを記憶する記憶媒体から、管理領域に記憶される管理データに応じてトラックを再生する再生手段と、トラックの中間部を指示する指示手段と、指示手段によって指示されたトラックの中間部を含み、且つ、トラックの先頭部と後端部の所定時間のデータが除かれた新たなトラックを管理するように管理領域の管理データを更新する制御手段とを備えることとした。
【０００９】
上記構成では、記憶媒体の記憶されるトラックについてのトリミング編集を行う際には、トリミングする動的データの中間部を指示手段により指示することで、制御手段によって、この指示手段によって指示されたトラックの中間部を含み、且つ、このトラックの先頭部と後端部の所定時間のデータが除かれた新たなトラックを管理するように管理領域の管理データを更新することが可能になる。
【００１０】
また、本発明の編集装置は、データ領域と、このデータ領域に記憶される所定単位の動的データをトラックとして管理する管理領域とを記憶する記憶媒体から管理領域に記憶される管理データに応じて上記トラックを再生する再生手段と、少なくとも、一つの上記トラックを指示する指示手段と、指示手段によって指示されたトラックの中央部を含み、且つ、トラックの先頭部と後端部の所定時間のデータが除かれた新たなトラックを管理するように、管理領域の管理データを更新する制御手段とを備えることとした。
【００１１】
上記構成では、記憶媒体の記憶されるトラックについてのトリミング編集を行う際には、トリミングする一つのトラックを指示手段により指示することで、この指示手段によって指示されたトラックの中央部を含み、且つ、このトラックの先頭部と後端部の所定時間のデータが除かれた新たなトラックを管理するように管理領域の管理データを更新することが可能になる。
【００１２】
【発明の実施の形態】
以下、本発明の実施の形態について説明していく。
本実施の形態の記録再生装置としては、カメラ装置部と画像（静止画又は動画）及び音声等の記録再生が可能な記録再生装置部とが一体化された可搬型のビデオカメラに搭載されている場合を例にあげる。また、本実施の形態のビデオカメラに搭載される記録再生装置部は、光磁気ディスクの一種として知られている、いわゆるミニディスクに対応してデータを記録再生する構成を採るものとされる。
説明は次の順序で行う。
１．ディスクフォーマット
２．ビデオカメラの外観構成
３．ビデオカメラの内部構成
４．メディアドライブ部の構成
５．本実施の形態に対応するディスク構造例
６．サムネイル画像生成処理
７．スクリプト
８．操作画面表示
９．本実施の形態のトリミング編集
９−１．トリミング編集操作
９−２．トラック管理処理
９−３．サムネイル画像変更処理
９−４．処理動作
１０．一括トリミング編集
【００１３】
１．ディスクフォーマット
本例のビデオカメラに搭載される記録再生装置部は、ミニディスク（光磁気ディスク）に対応してデータの記録／再生を行う、ＭＤデータといわれるフォーマットに対応しているものとされる。このＭＤデータフォーマットとしては、ＭＤ−ＤＡＴＡ１とＭＤ−ＤＡＴＡ２といわれる２種類のフォーマットが開発されているが、本例のビデオカメラは、ＭＤ−ＤＡＴＡ１よりも高密度記録が可能とされるＭＤ−ＤＡＴＡ２のフォーマットに対応して記録再生を行うものとされている。そこで、先ずＭＤ−ＤＡＴＡ２のディスクフォーマットについて説明する。
【００１４】
図１及び図２は、ＭＤ−ＤＡＴＡ２としてのディスクのトラック構造例を概念的に示している。図２（ａ）（ｂ）は、それぞれ図１の破線Ａで括った部分を拡大して示す断面図及び平面図である。
これらの図に示すように、ディスク面に対してはウォブル（蛇行）が与えられたウォブルドグルーブＷＧと、ウォブルが与えられていないノンウォブルドグルーブＮＷＧとの２種類のグルーブ（溝）が予め形成される。そして、これらウォブルドグルーブＷＧとノンウォブルドグルーブＮＷＧは、その間にランドＬｄを形成するようにしてディスク上において２重のスパイラル状に存在する。
【００１５】
ＭＤ−ＤＡＴＡ２フォーマットでは、ランドＬｄが記録トラック（データが記録されるトラック）として利用されるのであるが、上記のようにしてウォブルドグルーブＷＧとノンウォブルドグルーブＮＷＧが形成されることから、記録トラックとしてもトラックＴｒ・Ａ，Ｔｒ・Ｂの２つのトラックがそれぞれ独立して、２重のスパイラル（ダブルスパイラル）状に形成されることになる。
トラックＴｒ・Ａは、ディスク外周側にウォブルドグルーブＷＧが位置し、ディスク内周側にノンウォブルドグルーブＮＷＧが位置するトラックとなる。
これに対してトラックＴｒ・Ｂは、ディスク内周側にウォブルドグルーブＷＧが位置し、ディスク外周側にノンウォブルドグルーブＮＷＧが位置するトラックとなる。
つまり、トラックＴｒ・Ａに対してはディスク外周側の片側のみにウォブルが形成され、トラックＴｒ・Ｂとしてはディスク内周側の片側のみにウォブルが形成されるようにしたものとみることができる。
この場合、トラックピッチは、互いに隣接するトラックＴｒ・ＡとトラックＴｒ・Ｂの各センター間の距離となり、図２（ｂ）に示すようにトラックピッチは０．９５μｍとされている。
【００１６】
ここで、ウォブルドグルーブＷＧとしてのグルーブに形成されたウォブルは、ディスク上の物理アドレスがＦＭ変調＋バイフェーズ変調によりエンコードされた信号に基づいて形成されているものである。このため、記録再生時においてウォブルドグルーブＷＧに与えられたウォブリングから得られる再生情報を復調処理することで、ディスク上の物理アドレスを抽出することが可能となる。
また、ウォブルドグルーブＷＧとしてのアドレス情報は、トラックＴｒ・Ａ，Ｔｒ・Ｂに対して共通に有効なものとされる。つまり、ウォブルドグルーブＷＧを挟んで内周に位置するトラックＴｒ・Ａと、外周に位置するトラックＴｒ・Ｂは、そのウォブルドグルーブＷＧに与えられたウォブリングによるアドレス情報を共有するようにされる。
なお、このようなアドレッシング方式はインターレースアドレッシング方式ともいわれる。このインターレースアドレッシング方式を採用することで、例えば、隣接するウォブル間のクロストークを抑制した上でトラックピッチを小さくすることが可能となるものである。また、グルーブに対してウォブルを形成することでアドレスを記録する方式については、ＡＤＩＰ(Adress In Pregroove) 方式ともいう。
【００１７】
また、上記のようにして同一のアドレス情報を共有するトラックＴｒ・Ａ，Ｔｒ・Ｂの何れをトレースしているのかという識別は次のようにして行うことができる。
例えば３ビーム方式を応用し、メインビームがトラック（ランドＬｄ）をトレースしている状態では、残る２つのサイドビームは、上記メインビームがトレースしているトラックの両サイドに位置するグルーブをトレースしているようにすることが考えられる。
【００１８】
図２（ｂ）には、具体例として、メインビームスポットＳＰｍがトラックＴｒ・Ａをトレースしている状態が示されている。この場合には、２つのサイドビームスポットＳＰｓ１，ＳＰｓ２のうち、内周側のサイドビームスポットＳＰｓ１はノンウォブルドグルーブＮＷＧをトレースし、外周側のサイドビームスポットＳＰｓ２はウォブルドグルーブＷＧをトレースすることになる。
これに対して、図示しないが、メインビームスポットＳＰｍがトラックＴｒ・Ｂをトレースしている状態であれば、サイドビームスポットＳＰｓ１がウォブルドグルーブＷＧをトレースし、サイドビームスポットＳＰｓ２がノンウォブルドグルーブＮＷＧをトレースすることになる。
このように、メインビームスポットＳＰｍが、トラックＴｒ・Ａをトレースする場合とトラックＴｒ・Ｂをトレースする場合とでは、サイドビームスポットＳＰｓ１，ＳＰｓ２がトレースすべきグルーブとしては、必然的にウォブルドグルーブＷＧとノンウォブルドグルーブＮＷＧとで入れ替わることになる。
【００１９】
サイドビームスポットＳＰｓ１，ＳＰｓ２の反射によりフォトディテクタにて得られる検出信号としては、ウォブルドグルーブＷＧとノンウォブルドグルーブＮＷＧの何れをトレースしているのかで異なる波形が得られることから、上記検出信号に基づいて、例えば、現在サイドビームスポットＳＰｓ１，ＳＰｓ２のうち、どちらがウォブルドグルーブＷＧ（あるいはノンウォブルドグルーブＮＷＧ）をトレースしているのかを判別することにより、メインビームがトラックＴｒ・Ａ，Ｔｒ・Ｂのどちらをトレースしているのかが識別できることになる。
【００２０】
図３は、上記のようなトラック構造を有するＭＤ−ＤＡＴＡ２フォーマットの主要スペックをＭＤ−ＤＡＴＡ１フォーマットと比較して示す図である。
先ず、ＭＤ−ＤＡＴＡ１フォーマットとしては、トラックピッチは１．６μｍ、ピット長は０．５９μｍ／ｂｉｔとなる。また、レーザ波長λ＝７８０ｎｍとされ、光学ヘッドの開口率ＮＡ＝０．４５とされる。
記録方式としては、グルーブ記録方式を採っている。つまり、グルーブをトラックとして記録再生に用いるようにしている。
アドレス方式としては、シングルスパイラルによるグルーブ（トラック）を形成したうえで、このグルーブの両側に対してアドレス情報としてのウォブルを形成したウォブルドグルーブを利用する方式を採るようにされている。
【００２１】
記録データの変調方式としてはＥＦＭ（８−１４変換）方式を採用している。また、誤り訂正方式としてはＡＣＩＲＣ(Advanced Cross Interleave Reed-Solomon Code) が採用され、データインターリーブには畳み込み型を採用している。このため、データの冗長度としては４６．３％となる。
【００２２】
また、ＭＤ−ＤＡＴＡ１フォーマットでは、ディスク駆動方式としてＣＬＶ(Constant Linear Verocity)が採用されており、ＣＬＶの線速度としては、１．２ｍ／ｓとされる。
そして、記録再生時の標準のデータレートとしては、１３３ｋＢ／ｓとされ、記録容量としては、１４０ＭＢとなる。
【００２３】
これに対して、本例のビデオカメラが対応できるＭＤ−ＤＡＴＡ２フォーマットとしては、トラックピッチは０．９５μｍ、ピット長は０．３９μｍ／ｂｉｔとされ、共にＭＤ−ＤＡＴＡ１フォーマットよりも短くなっていることが分かる。そして、例えば上記ピット長を実現するために、レーザ波長λ＝６５０ｎｍ、光学ヘッドの開口率ＮＡ＝０．５２として、合焦位置でのビームスポット径を絞ると共に光学系としての帯域を拡げている。
【００２４】
記録方式としては、図１及び図２により説明したように、ランド記録方式が採用され、アドレス方式としてはインターレースアドレッシング方式が採用される。また、記録データの変調方式としては、高密度記録に適合するとされるＲＬＬ（１，７）方式（ＲＬＬ；Run Length Limited）が採用され、誤り訂正方式としてはＲＳ−ＰＣ方式、データインターリーブにはブロック完結型が採用される。そして、上記各方式を採用した結果、データの冗長度としては、１９．７％にまで抑制することが可能となっている。
【００２５】
ＭＤ−ＤＡＴＡ２フォーマットにおいても、ディスク駆動方式としてはＣＬＶが採用されるのであるが、その線速度としては２．０ｍ／ｓとされ、記録再生時の標準のデータレートとしては５８９ｋＢ／ｓとされる。そして、記録容量としては６５０ＭＢを得ることができ、ＭＤ−ＤＡＴＡ１フォーマットと比較した場合には、４倍強の高密度記録化が実現されたことになる。
例えば、ＭＤ−ＤＡＴＡ２フォーマットにより動画像の記録を行うとして、動画像データについてＭＰＥＧ２による圧縮符号化を施した場合には、符号化データのビットレートにも依るが、時間にして１５分〜１７分の動画を記録することが可能とされる。また、音声信号データのみを記録するとして、音声データについてＡＴＲＡＣ(Adaptve Transform Acoustic Coding) ２による圧縮処理を施した場合には、時間にして１０時間程度の記録を行うことができる。
【００２６】
２．ビデオカメラの外観構成
次に本例のビデオカメラの外観例について説明しておく。
図６（ａ）（ｂ）、図７（ａ）（ｂ）は、それぞれ、本例のビデオカメラの平面図、側面図、正面図、背面図である。
これらの図に示すように、本例のビデオカメラの本体２００の正面部には、撮影を行うための撮像レンズや絞りなどを備えたカメラレンズ２０１が表出するようにして設けられる。また、同じ本体２００の背面部下側には、撮影時において外部の音声を収音するためのマイクロフォン２０２が設けられている。つまり、このビデオカメラでは、カメラレンズ２０１により撮影した画像の録画と、マイクロフォン２０２により収音したステレオ音声の録音を行うことが可能とされている。また、ここでは、マイクロフォン２０２と同じ位置に再生音声を出力するためのスピーカ２０５も備えられているものとしている。また、スピーカ２０５からはビープ音等による所要のメッセージ音も出力される。
【００２７】
また、本体２００の背面側には、ビューファインダ２０４が設けられており、記録動作中及びスタンバイ中等においては、カメラレンズ２０１から取り込まれる画像（スルー画ともいう）及びキャラクタ画像等が表示される。ユーザーはこのビューファインダ２０４をみながら撮影を行うことができる。
また、後述するメインダイヤル３００、レリーズキー３０１、削除キー３０２が設けられた部位は電池蓋部２０６として開閉可能となっており、この電池蓋部２０６を開くことで、バッテリ（充電池）を装脱することが可能となっている。
【００２８】
また、本体２００の側面側には、可動パネル部２０３が備えられている。この可動パネル部２０３が可動支持部２０８によって支持されていることで、本体２００に対して可動可能に取り付けられている。この可動パネル部２０３の動きについては後述する。
【００２９】
また、可動パネル部２０３の背面側には表示パネル６７（表示画面）が設けられている。従って、図６（ｂ）に示すように可動パネル部２０３が収納状態にあるときは、表示パネル６７は本体側に向いて格納される状態となる。
【００３０】
表示パネル６７は、撮影画像、及び内部の記録再生装置により再生された画像等を表示出力するための部位とされる。また、機器の動作に応じて所要のメッセージをユーザに知らせるための文字やキャラクタ等によるメッセージ表示等も行われる。なお、この表示パネル６７として実際に採用する表示デバイスは、ここでは特に限定されるものではないが、例えば液晶ディスプレイ等が用いられればよい。
また、表示パネル６７は、例えば液晶ディスプレイの表示面の背面側に対して、押圧操作を関知してこれを操作情報として出力するタッチパネルが設けられている。つまり、本実施の形態にあっては、表示パネル６７に表示された画像に対して押圧操作を行う、いわゆるＧＵＩとしての操作が可能とされる。
ここで、表示パネル６７に対する操作としては、タッチパネルに対して押圧力が加わった位置を座標位置情報として検知する構成とされていることから、指などによって操作されてもよいのものとされる。しかし、表示パネル６７の表示面積に制限があって、そのポインティングの操作も指では困難な場合があることを考慮して、図６（ｂ）に示すように、スティック形状のペン３２０が添え付けされる。ユーザは、指の代わりにこのペン３２０を使用して表示パネル６７に対するポインティング（タッチ）操作を行うことができる。
【００３１】
また、可動パネル部２０３が収納される本体部２００側の部位がディスク装脱部２１０となっており、このディスク装脱部２１０において、本例のビデオカメラが対応する記憶媒体としてのディスクを挿入、あるいは排出させることができる。
【００３２】
また、ここでは図示していないが、実際には、外部の映像機器に対して再生画像信号等を出力するビデオ出力端子や、外部の音声機器やヘッドホンに対して再生音声信号を出力するヘッドフォン／ライン端子等が設けられている。また、外部のデータ機器とデータ伝送を行うためのインターフェイス機能に対応してＩ／Ｆ端子等も設けられている。
【００３３】
さらに、本体２００の各部には、ユーザー操作のための各種の操作子が設けられる。以下、主要となる各操作子について説明する。
メインダイヤル３００は、図７（ｂ）に示されるようにして本体２００の背面側に設けられ、ビデオカメラのオン／オフ、記録動作、再生動作を設定する操作子とされる。この場合には、回転操作が行えるものとなっている。
メインダイヤル３００が電源オフ位置ＰＳ２にある場合には電源がオフの状態にある。そして、例えばこの状態からメインダイヤル３００を再生／編集位置ＰＳ１に回転操作すれば、電源オンの状態となって、録画ファイルの再生や、各種編集操作が可能なモード状態となる。また、カメラモード位置ＰＳ３に回転操作を行えば、電源オンの状態で、動画、又は静止画としての録画ファイルを記録可能なモード（カメラモード）となる。更に、カメラモード位置ＰＳ４とすれば、インタビューモードとなる。
インタビューモードとは、ここでは詳しい説明は省略するが、記録動作としては、音声主体で記録を行って、任意の時点で、後述するレリーズキー３０１又はフォトキー３０４を押圧操作すれば、その時点で撮影されている画像を静止画として記録するモードである。そして、インタビューモードの再生では、このインタビューモードによって記録された録画ファイルを再生するものである。このときには、例えば音声を再生しながら記録時のタイミングで、静止画を切り換えるようにして表示させていく。
【００３４】
また、メインダイヤル３００の回転部中央には、レリーズキー３０１が備えられる。
このレリーズキー３０１は、カメラモード又はインタビューモードにある状態で記録開始／終了のための操作子として機能するものである。
【００３５】
また、本体２００背面部にはジョグダイヤル３０３も設けられる。ジョグダイヤル３０３は、円盤状の操作子とされ、正／逆方向に回転操作可能に取り付けられていると共に、所定の回転角度ごとにクリック感が得られるようになっている。このジョグダイヤル３０３は、例えば実際には、例えば２相式のロータリエンコーダなどと組み合わされることで、例えば１クリックが１回転ステップとなるようにして、その回転方向と回転角度に対応した回転ステップ数の情報を出力する。
また、この場合のジョグダイヤル３０３は、図７（ｂ）の左方向に対して押圧操作が行えるようにもなっている。
【００３６】
削除キー３０２は、所定のモードで再生されているデータについて、削除を行うための決定キーとして機能する。
【００３７】
また、主としては図６（ａ）に示されるように、本体２００側面部においてはやや上向きの状態でフォトキー３０４、ズームキー３０５、フォーカスキー３０６、及び逆光補正キー３０７が備えられる。
フォトキー３０４は、例えばカメラモードの状態で押圧操作することで静止画の録画ファイルを記録するためのシャッターとして機能する操作子である。
【００３８】
ズームキー３０５は、レンズ光学系（カメラレンズ２０１）におけるズーム状態（テレ側〜ワイド側）を操作する操作子である。
フォーカスキー３０６は、レンズ光学系のフォーカス状態（例えばノーマル／無限など）を切り換えるための操作子である。
逆光補正キー３０７は、逆光補正機能をオン／オフするための操作子である。
【００３９】
また、図６（ｂ）に示すようにして、可動パネル部２０３が配置される側の本体２００側面部には、主としてファイル（トラック）の記録再生に関するキーとして、再生／ポーズキー３０８、停止キー３０９、スロー再生キー３１０、サーチキー３１１，３１２、録音キー３１３が設けられる。
また、図６（ａ）に示すように、本体２００の上面部には、画面表示のための画面表示キー３１４と、スピーカからの出力音声の音量調節のための音量キー３１５，３１６が設けられる。
【００４０】
なお、上記図６及び図７に示すビデオカメラの外観はあくまでも一例であって、実際に本例のビデオカメラに要求される使用条件等に応じて適宜変更されて構わないものである。もちろん操作子の種類や操作方式、さらに外部機器との接続端子類などは各種多様に考えられる。
【００４１】
また、図８により、先に述べた可動パネル部２０３の動き方について説明しておく。なお、図８にあっては、説明の便宜上、ビデオカメラの外観は簡略化して示している。
可動パネル部２０３の動きとしては、先ず、図６（ｂ）に示した位置状態から図８（ａ）に示すようにして矢印ＹＪ１の方向に沿って引き起こすようにしてその位置状態を変えることができるようになっている。
この場合、表示画面（表示パネル６７）は撮影者（ビューファインダ２０４）側に向くようにされ、撮像画像を捉えるカメラレンズ２０１とはほぼ対向する方向を向くことになる。この表示パネルの位置状態では、例えばビデオカメラを所持する撮影者が表示パネル６７に表示された撮像画像をモニタしながら撮影（録画）を行うことができる。
【００４２】
また、上記図８（ａ）に示す状態から矢印ＹＪ２の方向に沿って約１８０°程度の範囲で可動パネル部２０３を回転させることができるようになっている。つまり、図８（ｂ）に示すようにして、表示パネル６７が被写体（カメラレンズ）側を向く位置状態とすることができる。
この状態では、被写体側にいるユーザが撮像画像を見ることができることになる。
ディスク装脱部２０５に対してディスクの挿入を行ったり、ディスクの取り出しを行ったりする場合には、この図８（ａ）（ｂ）に示すようにして、本体２００から可動パネル部２０３を起こした状態で行うようにされる。
【００４３】
また、図８（ｂ）に示す状態から矢印ＹＪ３の方向に可動パネル部２０３を動かすこともできる。このようにすれば、図示はしないが、表示パネル６７が外側から見える状態で、可動パネル部２０３が収納位置にあるようにされることになる。
【００４４】
なお、上述のようにして矢印ＹＪ２の方向に沿って表示パネルを回転させると、表示パネル６７が撮影者側に向いたときと被写体側に向いたときとでは、そのままでは表示画像の見え方が上下左右で反転することになるが、本実施の形態では、可動パネル部２０３の回動状態に応じて、表示パネル６７の表示画像が常にユーザ（撮影者及び被写体）から適正な方向で見えるように反転表示制御を行うことでこのような不都合を解消している。
【００４５】
３．ビデオカメラの内部構成
図４は、本例のビデオカメラの内部構成例を示すブロック図である。
この図に示すレンズブロック１においては、例えば実際には撮像レンズや絞りなどを備えて構成される光学系１１が備えられている。上記図６に示したカメラレンズ２０１は、この光学系１１に含まれる。また、このレンズブロック１には、光学系１１に対してオートフォーカス動作を行わせるためのフォーカスモータや、上記ズームキー３０４の操作に基づくズームレンズの移動を行うためのズームモータなどが、モータ部１２として備えられる。
【００４６】
カメラブロック２には、主としてレンズブロック１により撮影した画像光をデジタル画像信号に変換するための回路部が備えられる。
このカメラブロック２のＣＣＤ(Charge Coupled Device) ２１に対しては、光学系１１を透過した被写体の光画像が与えられる。ＣＣＤ２１においては上記光画像について光電変換を行うことで撮像信号を生成し、サンプルホールド／ＡＧＣ(Automatic Gain Control)回路２２に供給する。サンプルホールド／ＡＧＣ回路２２では、ＣＣＤ２１から出力された撮像信号についてゲイン調整を行うと共に、サンプルホールド処理を施すことによって波形整形を行う。サンプルホールド／ＡＧＣ回路２２の出力は、ビデオＡ／Ｄコンバータ２３に供給されることで、デジタルとしての画像信号データに変換される。
【００４７】
上記ＣＣＤ２１、サンプルホールド／ＡＧＣ回路２２、ビデオＡ／Ｄコンバータ２３における信号処理タイミングは、タイミングジェネレータ２４にて生成されるタイミング信号により制御される。タイミングジェネレータ２４では、後述するデータ処理／システムコントロール回路３１（ビデオ信号処理回部３内）にて信号処理に利用されるクロックを入力し、このクロックに基づいて所要のタイミング信号を生成するようにされる。これにより、カメラブロック２における信号処理タイミングを、ビデオ信号処理部３における処理タイミングと同期させるようにしている。
カメラコントローラ２５は、カメラブロック２内に備えられる上記各機能回路部が適正に動作するように所要の制御を実行すると共に、レンズブロック１に対してオートフォーカス、自動露出調整、絞り調整、ズームなどのための制御を行うものとされる。
例えばオートフォーカス制御であれば、カメラコントローラ２５は、所定のオートフォーカス制御方式に従って得られるフォーカス制御情報に基づいて、フォーカスモータの回転角を制御する。これにより、撮像レンズはジャストピント状態となるように駆動されることになる。
【００４８】
ビデオ信号処理部３は、記録時においては、カメラブロック２から供給されたデジタル画像信号、及びマイクロフォン２０２により集音したことで得られるデジタル音声信号について圧縮処理を施し、これら圧縮データをユーザ記録データとして後段のメディアドライブ部４に供給する。さらにカメラブロック２から供給されたデジタル画像信号とキャラクタ画像により生成した画像をビューファインダドライブ部２０７に供給し、ビューファインダ２０４に表示させる。
また、再生時においては、メディアドライブ部４から供給されるユーザ再生データ（ディスク５１からの読み出しデータ）、つまり圧縮処理された画像信号データ及び音声信号データについて復調処理を施し、これらを再生画像信号、再生音声信号として出力する。
【００４９】
なお本例において、画像信号データ（画像データ）の圧縮／伸張処理方式としては、動画像についてはＭＰＥＧ(Moving Picture Experts Group)２を採用し、静止画像についてはＪＰＥＧ(Joint Photographic Coding Experts Group) を採用しているものとする。また、音声信号データの圧縮／伸張処理方式には、ＡＴＲＡＣ(Adaptve Transform Acoustic Coding) ２を採用するものとする。
【００５０】
ビデオ信号処理部３のデータ処理／システムコントロール回路３１は、主として、当該ビデオ信号処理部３における画像信号データ及び音声信号データの圧縮／伸張処理に関する制御処理と、ビデオ信号処理部３を経由するデータの入出力を司るための処理を実行する。
また、データ処理／システムコントロール回路３１を含むビデオ信号処理部３全体についての制御処理は、ビデオコントローラ３８が実行するようにされる。このビデオコントローラ３８は、例えばマイクロコンピュータ等を備えて構成され、カメラブロック２のカメラコントローラ２５、及び後述するメディアドライブ部４のドライバコントローラ４６と、例えば図示しないバスライン等を介して相互通信可能とされている。
【００５１】
ビデオ信号処理部３における記録時の基本的な動作として、データ処理／システムコントロール回路３１には、カメラブロック２のビデオＡ／Ｄコンバータ２３から供給された画像信号データが入力される。データ処理／システムコントロール回路３１では、入力された画像信号データを例えば動き検出回路３５に供給する。動き検出回路３５では、例えばメモリ３６を作業領域として利用しながら入力された画像信号データについて動き補償等の画像処理を施した後、ＭＰＥＧ２ビデオ信号処理回路３３に供給する。
【００５２】
ＭＰＥＧ２ビデオ信号処理回路３３においては、例えばメモリ３４を作業領域として利用しながら、入力された画像信号データについてＭＰＥＧ２のフォーマットに従って圧縮処理を施し、動画像としての圧縮データのビットストリーム（ＭＰＥＧ２ビットストリーム）を出力するようにされる。また、ＭＰＥＧ２ビデオ信号処理回路３３では、例えば動画像としての画像信号データから静止画としての画像データを抽出してこれに圧縮処理を施す際には、ＪＰＥＧのフォーマットに従って静止画としての圧縮画像データを生成するように構成されている。なお、ＪＰＥＧは採用せずに、ＭＰＥＧ２のフォーマットによる圧縮画像データとして、正規の画像データとされるＩピクチャ(Intra Picture) を静止画の画像データとして扱うことも考えられる。
ＭＰＥＧ２ビデオ信号処理回路３３により圧縮符号化された画像信号データ（圧縮画像データ）は、例えば、バッファメモリ３２に対して所定の転送レートにより書き込まれて一時保持される。
なおＭＰＥＧ２のフォーマットにおいては、周知のようにいわゆる符号化ビットレート（データレート）として、一定速度（ＣＢＲ；Constant Bit Rate)と、可変速度（ＶＢＲ；Variable Bit Rate)の両者がサポートされており、ビデオ信号処理部３ではこれらに対応できるものとしている。
【００５３】
例えばＶＢＲによる画像圧縮処理を行う場合には、例えば、動き検出回路３５において、画像データをマクロブロック単位により前後数十〜数百フレーム内の範囲で動き検出を行って、動きありとされればこの検出結果を動きベクトル情報としてＭＰＥＧ２ビデオ信号処理回路３３に伝送する。
ＭＰＥＧ２ビデオ信号処理回路３３では、圧縮符号化後の画像データをある所要のデータレートとするように、上記動きベクトル情報をはじめとする所要の情報を利用しながら、マクロブロックごとの量子化係数を決定していくようにされる。
【００５４】
音声圧縮エンコーダ／デコーダ３７には、Ａ／Ｄコンバータ６４（表示／画像／音声入出力部６内）を介して、例えばマイクロフォン２０２により集音された音声がデジタルによる音声信号データとして入力される。
音声圧縮エンコーダ／デコーダ３７では、前述のようにＡＴＲＡＣ２のフォーマットに従って入力された音声信号データに対する圧縮処理を施す。この圧縮音声信号データもまた、データ処理／システムコントロール回路３１によってバッファメモリ３２に対して所定の転送レートによる書き込みが行われ、ここで一時保持される。
【００５５】
上記のようにして、バッファメモリ３２には、圧縮画像データ及び圧縮音声信号データが蓄積可能とされる。バッファメモリ３２は、主として、カメラブロック２あるいは表示／画像／音声入出力部６とバッファメモリ３２間のデータ転送レートと、バッファメモリ３２とメディアドライブ部４間のデータ転送レートの速度差を吸収するための機能を有する。
バッファメモリ３２に蓄積された圧縮画像データ及び圧縮音声信号データは、記録時であれば、順次所定タイミングで読み出しが行われて、メディアドライブ部４のＭＤ−ＤＡＴＡ２エンコーダ／デコーダ４１に伝送される。ただし、例えば再生時においてバッファメモリ３２に蓄積されたデータの読み出しと、この読み出したデータをメディアドライブ部４からデッキ部５を介してディスク５１に記録するまでの動作は、間欠的に行われても構わない。
このようなバッファメモリ３２に対するデータの書き込み及び読み出し制御は、例えば、データ処理／システムコントロール回路３１によって実行される。
【００５６】
ビデオ信号処理部３における再生時の動作としては、概略的に次のようになる。
再生時には、ディスク５１から読み出され、ＭＤ−ＤＡＴＡ２エンコーダ／デコーダ４１（メディアドライブ部４内）の処理によりＭＤ−ＤＡＴＡ２フォーマットに従ってデコードされた圧縮画像データ、圧縮音声信号データ（ユーザ再生データ）が、データ処理／システムコントロール回路３１に伝送されてくる。
データ処理／システムコントロール回路３１では、例えば入力した圧縮画像データ及び圧縮音声信号データを、一旦バッファメモリ３２に蓄積させる。そして、例えば再生時間軸の整合が得られるようにされた所要のタイミング及び転送レートで、バッファメモリ３２から圧縮画像データ及び圧縮音声信号データの読み出しを行い、圧縮画像データについてはＭＰＥＧ２ビデオ信号処理回路３３に供給し、圧縮音声信号データについては音声圧縮エンコーダ／デコーダ３７に供給する。
【００５７】
ＭＰＥＧ２ビデオ信号処理回路３３では、入力された圧縮画像データについて伸張処理を施して、データ処理／システムコントロール回路３１に伝送する。データ処理／システムコントロール回路３１では、この伸張処理された画像信号データを、ビデオＤ／Ａコンバータ６１（表示／画像／音声入出力部６内）に供給する。
音声圧縮エンコーダ／デコーダ３７では、入力された圧縮音声信号データについて伸張処理を施して、Ｄ／Ａコンバータ６５（表示／画像／音声入出力部６内）に供給する。
【００５８】
表示／画像／音声入出力部６においては、ビデオＤ／Ａコンバータ６１に入力された画像信号データは、ここでアナログ画像信号に変換され、表示コントローラ６２及びコンポジット信号処理回路６３に対して分岐して入力される。
表示コントローラ６２では、入力された画像信号に基づいて表示部６Ａを駆動する。これにより、表示部６Ａにおいて再生画像の表示が行われる。また、表示部６Ａにおいては、ディスク５１から再生して得られる画像の表示だけでなく、当然のこととして、レンズブロック１及びカメラブロック２からなるカメラ部位により撮影して得られた撮像画像も、ほぼリアルタイムで表示出力させることが可能である。
また、再生画像及び撮像画像の他、前述のように、機器の動作に応じて所要のメッセージをユーザに知らせるための文字やキャラクタ等によるメッセージ表示も行われるものとされる。このようなメッセージ表示は、例えばビデオコントローラ３８の制御によって、所要の文字やキャラクタ等が所定の位置に表示されるように、データ処理／システムコントロール回路３１からビデオＤ／Ａコンバータ６１に出力すべき画像信号データに対して、所要の文字やキャラクタ等の画像信号データを合成する処理を実行するようにすればよい。
【００５９】
また、表示部６Ａに対しては、タッチパネル６Ｂが組み合わされることで、表示パネル６７を構成する。
タッチパネル６Ｂでは、表示部６Ａ上に対して行われた押圧操作の位置情報を検知し、これを操作情報としてビデオコントローラ３８に対して出力する。
【００６０】
コンポジット信号処理回路６３では、ビデオＤ／Ａコンバータ６１から供給されたアナログ画像信号についてコンポジット信号に変換して、ビデオ出力端子Ｔ１に出力する。例えば、ビデオ出力端子Ｔ１を介して、外部モニタ装置等と接続を行えば、当該ビデオカメラで再生した画像を外部モニタ装置により表示させることが可能となる。
【００６１】
また、表示／画像／音声入出力部６において、音声圧縮エンコーダ／デコーダ３７からＤ／Ａコンバータ６５に入力された音声信号データは、ここでアナログ音声信号に変換され、ヘッドフォン／ライン端子Ｔ２に対して出力される。また、Ｄ／Ａコンバータ６５から出力されたアナログ音声信号は、アンプ６６を介してスピーカ２０５に対しても分岐して出力され、これにより、スピーカ２０５からは、再生音声等が出力されることになる。
【００６２】
メディアドライブ部４では、主として、記録時にはＭＤ−ＤＡＴＡ２フォーマットに従って記録データをディスク記録に適合するようにエンコードしてデッキ部５に伝送し、再生時においては、デッキ部５においてディスク５１から読み出されたデータについてデコード処理を施すことで再生データを得て、ビデオ信号処理部３に対して伝送する。
【００６３】
このメディアドライブ部４のＭＤ−ＤＡＴＡ２エンコーダ／デコーダ４１は、記録時においては、データ処理／システムコントロール回路３１から記録データ（圧縮画像データ＋圧縮音声信号データ）が入力され、この記録データについて、ＭＤ−ＤＡＴＡ２フォーマットに従った所定のエンコード処理を施し、このエンコードされたデータを一時バッファメモリ４２に蓄積する。そして、所要のタイミングで読み出しを行いながらデッキ部５に伝送する。
【００６４】
再生時においては、ディスク５１から読み出され、ＲＦ信号処理回路４４、二値化回路４３を介して入力されたデジタル再生信号について、ＭＤ−ＤＡＴＡ２フォーマットに従ったデコード処理を施して、再生データとしてビデオ信号処理部３のデータ処理／システムコントロール回路３１に対して伝送する。
なお、この際においても、必要があれば再生データを一旦バッファメモリ４２に蓄積し、ここから所要のタイミングで読み出したデータをデータ処理／システムコントロール回路３１に伝送出力するようにされる。このような、バッファメモリ４２に対する書き込み／読み出し制御はドライバコントローラ４６が実行するものとされる。
なお、例えばディスク５１の再生時において、外乱等によってサーボ等が外れて、ディスクからの信号の読み出しが不可となったような場合でも、バッファメモリ４２に対して読み出しデータが蓄積されている期間内にディスクに対する再生動作を復帰させるようにすれば、再生データとしての時系列的連続性を維持することが可能となる。
【００６５】
ＲＦ信号処理回路４４には、ディスク５１からの読み出し信号について所要の処理を施すことで、例えば、再生データとしてのＲＦ信号、デッキ部５に対するサーボ制御のためのフォーカスエラー信号、トラッキングエラー信号等のサーボ制御信号を生成する。ＲＦ信号は、上記のように二値化回路４３により２値化され、デジタル信号データとしてＭＤ−ＤＡＴＡ２エンコーダ／デコーダ４１に入力される。
また、生成された各種サーボ制御信号はサーボ回路４５に供給される。サーボ回路４５では、入力したサーボ制御信号に基づいて、デッキ部５における所要のサーボ制御を実行する。
【００６６】
なお、本例においては、ＭＤ−ＤＡＴＡ１フォーマットに対応するエンコーダ／デコーダ４７を備えており、ビデオ信号処理部３から供給された記録データを、ＭＤ−ＤＡＴＡ１フォーマットに従ってエンコードしてディスク５１に記録すること、或いは、ディスク５１からの読み出しデータがＭＤ−ＤＡＴＡ１フォーマットに従ってエンコードされているものについては、そのデコード処理を行って、ビデオ信号処理部３に伝送出力することも可能とされている。つまり本例のビデオカメラとしては、ＭＤ−ＤＡＴＡ２フォーマットとＭＤ−ＤＡＴＡ１フォーマットとについて互換性が得られるように構成されている。
ドライバコントローラ４６は、メディアドライブ部４を総括的に制御するための機能回路部とされる。
【００６７】
デッキ部５は、ディスク５１を駆動するための機構からなる部位とされる。ここでは図示しないが、デッキ部５においては、装填されるべきディスク５１が着脱可能とされ、ユーザの作業によって交換が可能なようにされた機構（ディスク装脱部２１０（図６参照））を有しているものとされる。また、ここでのディスク５１は、ＭＤ−ＤＡＴＡ２フォーマット、あるいはＭＤ−ＤＡＴＡ１フォーマットに対応する光磁気ディスクであることが前提となる。
【００６８】
デッキ部５においては、装填されたディスク５１をＣＬＶにより回転駆動するスピンドルモータ５２によって、ＣＬＶにより回転駆動される。このディスク５１に対しては記録／再生時に光学ヘッド５３によってレーザ光が照射される。
光学ヘッド５３は、記録時には記録トラックをキュリー温度まで加熱するための高レベルのレーザ出力を行ない、また再生時には磁気カー効果により反射光からデータを検出するための比較的低レベルのレーザ出力を行なう。このため、光学ヘッド５３には、ここでは詳しい図示は省略するがレーザ出力手段としてのレーザダイオード、偏光ビームスプリッタや対物レンズ等からなる光学系、及び反射光を検出するためのディテクタが搭載されている。光学ヘッド５３に備えられる対物レンズとしては、例えば２軸機構によってディスク半径方向及びディスクに接離する方向に変位可能に保持されている。
【００６９】
また、ディスク５１を挟んで光学ヘッド５３と対向する位置には磁気ヘッド５４が配置されている。磁気ヘッド５４は記録データによって変調された磁界をディスク５１に印加する動作を行なう。
また、図示しないが、デッキ部５においては、スレッドモータ５５により駆動されるスレッド機構が備えられている。このスレッド機構が駆動されることにより、上記光学ヘッド５３全体及び磁気ヘッド５４はディスク半径方向に移動可能とされている。
【００７０】
操作部７は図６に示した各種操作子に相当し、これらの操作子によるユーザの各種操作情報は例えばビデオコントローラ３８に出力される。
ビデオコントローラ３８は、先に述べたタッチパネル６Ｂ、及び上記操作部７から出力される操作情報に応じた必要な動作が各部において実行されるようにするための制御情報をカメラコントローラ２５、ドライバコントローラ４６に対して供給する。
【００７１】
外部インターフェイス８は、当該ビデオカメラと外部機器とでデータを相互伝送可能とするために設けられており、例えば図のようにＩ／Ｆ端子Ｔ３とビデオ信号処理部間に対して設けられる。なお、外部インターフェイス８としてはここでは特に限定されるものではないが、例えばＩＥＥＥ１３９４等が採用されればよい。
例えば、外部のデジタル画像機器と本例のビデオカメラをＩ／Ｆ端子Ｔ３を介して接続した場合、ビデオカメラで撮影した画像（音声）を外部デジタル画像機器に録画したりすることが可能となる。また、外部デジタル画像機器にて再生した画像（音声）データ等を、外部インターフェイス８を介して取り込むことにより、ＭＤ−ＤＡＴＡ２（或いはＭＤ−ＤＡＴＡ１）フォーマットに従ってディスク５１に記録するといったことも可能となる。更には、例えばキャプションの挿入などに利用する文字情報としてのファイルも取り込んで記録することが可能となる。
【００７２】
電源ブロック９は、内蔵のバッテリにより得られる直流電源あるいは商用交流電源から生成した直流電源を利用して、各機能回路部に対して所要のレベルの電源電圧を供給する。電源ブロック９による電源オン／オフは、上述したメインダイヤル３００の操作に応じてビデオコントローラ３８が制御する。
また記録動作中はビデオコントローラ３８はインジケータの発光動作を実行させる。
【００７３】
４．メディアドライブ部の構成
続いて、図４に示したメディアドライブ部４の構成として、ＭＤ−ＤＡＴＡ２に対応する機能回路部を抽出した詳細な構成について、図５のブロック図を参照して説明する。なお、図５においては、メディアドライブ部４と共にデッキ部５を示しているが、デッキ部５の内部構成については図４により説明したため、ここでは、図４と同一符号を付して説明を省略する。また、図５に示すメディアドライブ部４において図４のブロックに相当する範囲に同一符号を付している。
【００７４】
光学ヘッド５３のディスク５１に対するデータ読み出し動作によりに検出された情報（フォトディテクタによりレーザ反射光を検出して得られる光電流）は、ＲＦ信号処理回路４４内のＲＦアンプ１０１に供給される。
ＲＦアンプ１０１では入力された検出情報から、再生信号としての再生ＲＦ信号を生成し、二値化回路４３に供給する。二値化回路４３は、入力された再生ＲＦ信号について二値化を行うことにより、デジタル信号化された再生ＲＦ信号（二値化ＲＦ信号）を得る。
この二値化ＲＦ信号はＭＤ−ＤＡＴＡ２エンコーダ／デコーダ４１に供給され、まずＡＧＣ／クランプ回路１０３を介してゲイン調整、クランプ処理等が行われた後、イコライザ／ＰＬＬ回路１０４に入力される。
イコライザ／ＰＬＬ回路１０４では、入力された二値化ＲＦ信号についてイコライジング処理を施してビタビデコーダ１０５に出力する。また、イコライジング処理後の二値化ＲＦ信号をＰＬＬ回路に入力することにより、二値化ＲＦ信号（ＲＬＬ（１，７）符号列）に同期したクロックＣＬＫを抽出する。
【００７５】
クロックＣＬＫの周波数は現在のディスク回転速度に対応する。このため、ＣＬＶプロセッサ１１１では、イコライザ／ＰＬＬ回路１０４からクロックＣＬＫを入力し、所定のＣＬＶ速度（図３参照）に対応する基準値と比較することにより誤差情報を得て、この誤差情報をスピンドルエラー信号ＳＰＥを生成するための信号成分として利用する。また、クロックＣＬＫは、例えばＲＬＬ（１，７）復調回路１０６をはじめとする、所要の信号処理回路系における処理のためのクロックとして利用される。
【００７６】
ビタビデコーダ１０５は、イコライザ／ＰＬＬ回路１０４から入力された二値化ＲＦ信号について、いわゆるビタビ復号法に従った復号処理を行う。これにより、ＲＬＬ（１，７）符号列としての再生データが得られることになる。
この再生データはＲＬＬ（１，７）復調回路１０６に入力され、ここでＲＬＬ（１，７）復調が施されたデータストリームとされる。
【００７７】
ＲＬＬ（１，７）復調回路１０６における復調処理により得られたデータストリームは、データバス１１４を介してバッファメモリ４２に対して書き込みが行われ、バッファメモリ４２上で展開される。
このようにしてバッファメモリ４２上に展開されたデータストリームに対しては、先ず、ＥＣＣ処理回路１１６により、ＲＳ−ＰＣ方式に従って誤り訂正ブロック単位によるエラー訂正処理が施され、更に、デスクランブル／ＥＤＣデコード回路１１７により、デスクランブル処理と、ＥＤＣデコード処理（エラー検出処理）が施される。
これまでの処理が施されたデータが再生データＤＡＴＡｐとされる。この再生データＤＡＴＡｐは、転送クロック発生回路１２１にて発生された転送クロックに従った転送レートで、例えばデスクランブル／ＥＤＣデコード回路１１７からビデオ信号処理部３のデータ処理／システムコントロール回路３１に対して伝送されることになる。
【００７８】
転送クロック発生回路１２１は、例えば、クリスタル系のクロックをメディアドライブ部４とビデオ信号処理部３間のデータ伝送や、メディアドライブ部４内における機能回路部間でのデータ伝送を行う際に、適宜適正とされる周波数の転送クロック（データ転送レート）を発生するための部位とされる。
また、当該ビデオカメラの動作状態に応じて、メディアドライブ部４及びビデオ信号処理部３の各機能回路部に供給すべき所要の周波数のクロックを発生する。
【００７９】
光学ヘッド５３によりディスク５１から読み出された検出情報（光電流）は、マトリクスアンプ１０７に対しても供給される。
マトリクスアンプ１０７では、入力された検出情報について所要の演算処理を施すことにより、トラッキングエラー信号ＴＥ、フォーカスエラー信号ＦＥ、グルーブ情報（ディスク５１にウォブルドグルーブＷＧとして記録されている絶対アドレス情報）ＧＦＭ等を抽出しサーボ回路４５に供給する。即ち抽出されたトラッキングエラー信号ＴＥ、フォーカスエラー信号ＦＥはサーボプロセッサ１１２に供給され、グルーブ情報ＧＦＭはＡＤＩＰバンドパスフィルタ１０８に供給される。
【００８０】
ＡＤＩＰバンドパスフィルタ１０８により帯域制限されたグルーブ情報ＧＦＭは、Ａ／Ｂトラック検出回路１０９、ＡＤＩＰデコーダ１１０、及びＣＬＶプロセッサ１１１に対して供給される。
Ａ／Ｂトラック検出回路１０９では、例えば図２（ｂ）にて説明した方式などに基づいて、入力されたグルーブ情報ＧＦＭから、現在トレースしているトラックがトラックＴＲ・Ａ，ＴＲ・Ｂの何れとされているのかについて判別を行い、このトラック判別情報をドライバコントローラ４６に出力する。また、ＡＤＩＰデコーダ１１０では、入力されたグルーブ情報ＧＦＭをデコードしてディスク上の絶対アドレス情報であるＡＤＩＰ信号を抽出し、ドライバコントローラ４６に出力する。ドライバコントローラ４６では、上記トラック判別情報及びＡＤＩＰ信号に基づいて、所要の制御処理を実行する。
【００８１】
ＣＬＶプロセッサ１１１には、イコライザ／ＰＬＬ回路１０４からクロックＣＬＫと、ＡＤＩＰバンドパスフィルタ１０８を介したグルーブ情報ＧＦＭが入力される。ＣＬＶプロセッサ１１１では、例えばグルーブ情報ＧＦＭに対するクロックＣＬＫとの位相誤差を積分して得られる誤差信号に基づき、ＣＬＶサーボ制御のためのスピンドルエラー信号ＳＰＥを生成し、サーボプロセッサ１１２に対して出力する。なお、ＣＬＶプロセッサ１１１が実行すべき所要の動作はドライバコントローラ４６によって制御される。
【００８２】
サーボプロセッサ１１２は、上記のようにして入力されたトラッキングエラー信号ＴＥ、フォーカスエラー信号ＦＥ、スピンドルエラー信号ＳＰＥ、ドライバコントローラ４６からのトラックジャンプ指令、アクセス指令等に基づいて各種サーボ制御信号（トラッキング制御信号、フォーカス制御信号、スレッド制御信号、スピンドル制御信号等）を生成し、サーボドライバ１１３に対して出力する。
サーボドライバ１１３では、サーボプロセッサ１１２から供給されたサーボ制御信号に基づいて所要のサーボドライブ信号を生成する。ここでのサーボドライブ信号としては、二軸機構を駆動する二軸ドライブ信号（フォーカス方向、トラッキング方向の２種）、スレッド機構を駆動するスレッドモータ駆動信号、スピンドルモータ５２を駆動するスピンドルモータ駆動信号となる。
このようなサーボドライブ信号がデッキ部５に対して供給されることで、ディスク５１に対するフォーカス制御、トラッキング制御、及びスピンドルモータ５２に対するＣＬＶ制御が行われることになる。
【００８３】
ディスク５１に対して記録動作が実行される際には、例えば、ビデオ信号処理部３のデータ処理／システムコントロール回路３１からスクランブル／ＥＤＣエンコード回路１１５に対して記録データＤＡＴＡｒが入力されることになる。このユーザ記録データＤＡＴＡｒは、例えば転送クロック発生回路１２１にて発生された転送クロック（データ転送レート）に同期して入力される。
【００８４】
スクランブル／ＥＤＣエンコード回路１１５では、例えば記録データＤＡＴＡｒをバッファメモリ４２に書き込んで展開し、データスクランブル処理、ＥＤＣエンコード処理（所定方式によるエラー検出符号の付加処理）を施す。この処理の後、例えばＥＣＣ処理回路１１６によって、バッファメモリ４２に展開させている記録データＤＡＴＡｒに対してＲＳ−ＰＣ方式によるエラー訂正符号を付加するようにされる。
ここまでの処理が施された記録データＤＡＴＡｒは、バッファメモリ４２から読み出されて、データバス１１４を介してＲＬＬ（１，７）変調回路１１８に供給される。
【００８５】
ＲＬＬ（１，７）変調回路１１８では、入力された記録データＤＡＴＡｒについてＲＬＬ（１，７）変調処理を施し、このＲＬＬ（１，７）符号列としての記録データを磁気ヘッド駆動回路１１９に出力する。
【００８６】
ところで、ＭＤ−ＤＡＴＡ２フォーマットでは、ディスクに対する記録方式として、いわゆるレーザストローブ磁界変調方式を採用している。レーザストローブ磁界変調方式とは、記録データにより変調した磁界をディスク記録面に印加すると共に、ディスクに照射すべきレーザ光を記録データに同期してパルス発光させる記録方式をいう。
このようなレーザストローブ磁界変調方式では、ディスクに記録されるピットエッジの形成過程が磁界の反転速度等の過渡特性に依存せず、レーザパルスの照射タイミングによって決定される。
このため、例えば単純磁界変調方式（レーザ光をディスクに対して定常的に照射すると共に記録データにより変調した磁界をディスク記録面に印加するようにした方式）と比較して、レーザストローブ磁界変調方式では、記録ピットのジッタをきわめて小さくすることが容易に可能とされる。つまり、レーザストローブ磁界変調方式は、高密度記録化に有利な記録方式とされるものである。
【００８７】
メディアドライブ部４の磁気ヘッド駆動回路１１９では、入力された記録データにより変調した磁界が磁気ヘッド５４からディスク５１に印加されるように動作する。また、ＲＬＬ（１，７）変調回路１１８からレーザドライバ１２０に対しては、記録データに同期したクロックを出力する。レーザドライバ１２０は、入力されたクロックに基づいて、磁気ヘッド５４により磁界として発生される記録データに同期させたレーザパルスがディスクに対して照射されるように、光学ヘッド５３のレーザダイオードを駆動する。この際、レーザダイオードから発光出力されるレーザパルスとしては、記録に適合する所要のレーザパワーに基づくものとなる。このようにして、本例のメディアドライブ部４により上記レーザストローブ磁界変調方式としての記録動作が可能とされる。
【００８８】
５．本実施の形態に対応するディスク構造例
次に、本実施の形態に対応するディスク５１のデータ構造例について説明する。
先ず、ＭＤ−ＤＡＴＡ２のフォーマットとしてセクタ、クラスタといわれるデータ単位について述べておく。
セクタは、ディスクからの物理的なデータ読み出しの最小単位であり、各セクタには、ＰＳＡ(Physical Sector Address)が割り当てられる。
また、クラスタは、ディスクへの物理的なデータ書き込みの最小単位とされ、ＰＳＡが０ｈ〜Ｆｈまでの連続する１６のセクタの集合により形成される。各クラスタには、ＰＣＡ(Physical Cluster Address)が割り当てられる。そして、後述するリードインエリア（プリマスタード・エリア）に在るセクターは、ＰＣＡによって一意に特定することができる。また、レコーダブルエリアにあるクラスタは同一のＰＣＡを有するクラスタがトラックＴｒ・Ａ，Ｔｒ・Ｂとで１つずつ存在することになる。
【００８９】
図９は、本実施の形態に対応するとされるディスク５１のデータ管理形態例を概念的に示している。なお、この図に示すディスク５１の物理フォーマットについては、先に図１及び図２により説明した通りである。
ディスク５１においては、例えば、管理情報としてＰＴＯＣ、及びＲＴＯＣが設定される。ＰＴＯＣは、ピット形態により所要の管理情報が記録される。このＰＴＯＣの内容は書き換えが不可とされている。
ＲＴＯＣは、例えばディスクに記録されたデータを管理するのに必要な基本的な情報が記録される。
例えば本例の場合であれば、ディスクに記録されたデータとして、トラック（ファイルと同義の場合有り）、及びフォルダ（トラックをグループ化して管理するための構造）を記録再生時において管理するための情報が格納される。
なお、ＲＴＯＣの内容は、例えば、これまでのディスクに対するデータの記録結果や、トラック（ファイル）、フォルダの削除等の編集処理結果に従って逐次書き換えが行われるものとされる。
【００９０】
ユーザデータは、１つのルートフォルダ内に置かれたボリュームフォルダ(Volume Folder)として管理される。本実施の形態においてボリューム(Volume)とは、ユーザデータの完全な集合として定義され、１枚のディスクにはただ１つのボリュームが存在するものとして規定される。そして、このボリューム内に含まれるデータは、上記ＰＴＯＣ、ＲＴＯＣで管理されるものを除いて、ボリュームフォルダ以下のフォルダ及びトラックとして格納されることになる。
【００９１】
ボリュームフォルダ内においては、所定サイズ（例えば１２クラスタ）のボリュームインデックストラック(ＶＩＴ：Volume Index Track)が置かれる。
このボリュームインデックストラックは、例えば上記ＰＴＯＣ、ＲＴＯＣが主的管理情報とすれば、いわば副管理情報が記録される領域として規定されるもので、トラック（ファイル）、フォルダ、及び補助データ(Auxiliary Data)に関すプロパティ、タイトル、及びトラックを形成するパケットデータを管理するための情報が記録されるテーブルを有する。
【００９２】
また、ボリュームフォルダ内で管理されるトラックとして、サムネイルトラック(Thumbnail Picture Track)がオプションとして配置可能とされている。
本実施の形態においては、ディスクに記録された各ファイルごとに対応付けして、所定解像度による１枚の静止画像をサムネイル画像として有することが可能とされている。サムネイル画像は、ファイルを視覚的に認識可能とするための代表画像として扱われる。
サムネイルトラックには、ディスクに記録されているファイル（トラック）との対応付けと、サムネイル画像の格納位置とが示されるインデックス情報と共に記録される。サムネイルトラックのデータ長は、格納されるサムネイル画像数等に応じて任意に拡張可能とされる。
【００９３】
そして、例えばユーザが撮影等によって記録した画像／音声データはファイル単位で管理され、ボリュームフォルダ内において、トラックとしてボリュームフォルダの下に置かれる、或いは、ボリュームフォルダ以下に置かれるフォルダ内に置かれることになる。
図９では、或る１ファイルが１トラックとして表現された上で、このトラックが或る１つのフォルダ内に格納されている状態が示されている。フォルダは、上述のように、トラック又はフォルダを１グループにまとめて管理するための構造である。
従ってボリュームフォルダ以下の構造においては、ボリュームフォルダ内に格納可能な最大件数と、フォルダの階層構造の最大段数により規定される範囲内で、任意の数のトラック又はフォルダが格納されることになる。
【００９４】
また、ボリュームフォルダ内には、補助データ(Auxiliary Data)が格納される補助データトラック(Auxiliary Data Track)が配置される。
補助データトラックに格納されるべき情報としては、例えば、実際に適用されるアプリケーションによって任意とされる。
本実施の形態においては、再生制御情報としてのスクリプトの情報が格納されることになる。また、ここでの詳しい説明は省略するが、トラック（録画ファイル）に対する「落書き編集」によって作成された画像データ（Image）も格納される。
【００９５】
ところで、上記した管理情報であるＰＴＯＣ，ＲＴＯＣ、また更にはボリュームインデックストラックに格納された情報（これらの情報を総称しても、本実施の形態では「管理情報」ということにする）は、例えば、ディスク装填時において読み出されて、例えば、メディアドライブ部４のバッファメモリ４２（又はバッファメモリ３２）の所定領域に保持される。そして、データ記録時や編集時においては、その記録結果や編集結果に応じてバッファメモリに保持されているこれら管理情報について書き換えを行うようにし、その後、所定の機会、タイミングでもって、バッファメモリに保持されている管理情報の内容に基づいて、ディスク５１の管理情報を書き換える（更新する）ようにされる（但し、ＰＴＯＣについては更新は行われない）。
【００９６】
図１０は、上記図９に示したデータ管理形態をディスク５１の物理構造に対応させて示しているものである。
この図に示すリードインエリアは、ディスク最内周におけるピットエリアであり、ここにＰＴＯＣの情報が記録される。
【００９７】
そして、このリードインエリアの外周に対しては、トランジションエリアを介してレコーダブルエリアが形成される。このレコーダブルエリアは、光磁気記録再生が可能とされる光磁気記録領域とされる。このレコーダブルエリアは、先に図１、図２により説明したように、トラックＴｒ・ＡとトラックＴｒ・Ｂの２本のトラックがダブルスパイラル上に形成される。
【００９８】
レコーダブルエリアの最内周にあっては、トラックＴｒ・Ａ，Ｔｒ・Ｂ共に、ＲＴＯＣエリアが設けられる。そして、トラックＴｒ・ＡのＲＴＯＣエリア内にあっては、４クラスタのサイズのＲＴＯＣの情報が３回繰り返して記録される。そしてこれに続けて、１２クラスタのサイズのボリュームインデックストラックが配置される。
そして、ボリュームインデックストラックに続けては、サムネイルトラックをオプションとして配置することができることになっている。このＲＴＯＣエリア内のサムネイルトラックとしては、少なくとも最初の１クラスタが位置するものと規定されている。そして、例えばファイル数の増加に応じてサムネイル画像データ数が多くなり、ＲＴＯＣエリア内のサムネイルトラックの容量を超えたときには、後述するレコーダブルデータエリアに対して追加的に記録していくことができる。また、このときのレコーダブルデータエリア上のサムネイルトラックは、ボリュームインデックストラック（又はＲＴＯＣ）によって管理される。
【００９９】
また、このＲＴＯＣエリアのサムネイルトラックに続けて、補助データであるスクリプトとイメージデータを記録する領域をオプションとして設定することができる。
また、これらスクリプトとイメージデータについても、ＲＴＯＣエリア内にて記録可能な容量を超えたときには、ボリュームインデックストラック（又はＲＴＯＣ）により管理される形態で、レコーダブルデータエリアに対して追加的に記録していくことができる。
【０１００】
そして、レコーダブルデータエリアスタートアドレスＷより示されるアドレス位置からは、レコーダブルデータエリアが設けられる。このレコーダブルデータエリアに対して、ＡＶデータ、即ちトラック（ファイル）のデータが記録される。また、前述したサムネイル画像データ及び補助データも記録可能とされる。
【０１０１】
このレコーダブルデータエリアが終了すると、リードアウトエリアスタートアドレスＬにより示されるアドレス位置から最外周にかけてリードアウトエリアが形成される。
【０１０２】
上記説明は、トラックＴｒ・Ａに関するものであるが、トラックＴｒ・Ｂについても、図１０から分かるように、領域設定はトラックＴｒ・Ａに準ずる。但し、ＲＴＯＣエリアについては現段階では未定義とされている。つまり、ＲＴＯＣエリアは、トラックＴｒ・Ａについてのみ実質的に使用されるようにしている。
【０１０３】
なお、これら図９及び図１０に示すディスク構造例はあくまでも一例であって、ディスク上での各エリアの物理的位置関係は、実際の使用条件等に応じて変更されて構わないし、データが格納される構造も変更されてかまないものである。
【０１０４】
６．サムネイル画像生成処理
上記図９及び図１０に示したサムネイルトラックに格納されるサムネイル画像は、本実施の形態のビデオカメラにより生成することが可能とされるが、ここで、サムネイル画像の生成処理について説明しておく。なお、ここでは既にディスクに記録された画像ファイルについてのサムネイル画像を生成する場合について説明する。
【０１０５】
前述のように、例えばディスク５１に記録されている管理情報（ＰＴＯＣ、ＲＴＯＣ、ボリュームインデックストラック）は、ディスク装填時などの所定のタイミングで読み出されて、バッファメモリ４２（或いはバッファメモリ３２）に対して格納されているものとされる。
【０１０６】
そして、ドライバコントローラ４６は、例えばバッファメモリ４２に格納されている管理情報を参照して、これよりサムネイル画像を生成すべきファイルについて、サムネイル画像として指定されている画像データが記録されているディスク上のアドレスを求め、このアドレスにアクセスしてディスクに対する読み出し動作を実行させることで、サムネイル画像の生成元としての画像データを得るようにされる。
この画像データは、順次メディアドライブ部４からビデオ信号処理部３に伝送され、データ処理／システムコントロール回路３１に供給される。
なお、管理情報によりサムネイル画像の生成元として規定される画像データは、特段の指定が無ければ、例えばファイル中における先頭のフレーム（又はフィールド）画像データが指定されているものとされる。
【０１０７】
そして、データ処理／システムコントロール回路３１では、供給された画面データについて、先ず、ＭＰＥＧ２ビデオ信号処理回路３３を制御してＭＰＥＧ２フォーマットに従った伸張処理を施し、フィールド画像単位の画像データのレベルにまでデコードしたデータを獲得するようにされる。
【０１０８】
例えば、上記フィールド画像単位のレベルにまでデコードされた画像データの段階では、通常は、表示画面に対してほぼフルサイズで表示されるだけの画像サイズ（画素数）を有したデータとされる。
そこで、上記フィールド画像単位によるフルサイズの画像データが得られた後は、このフルサイズの画像データについて縮小処理を行って、実際に必要とされるサムネイル画像のサイズが得られるように処理を行うことになる。
このような画像サイズの縮小のためには、例えば元のフルサイズの画像データに対して、適切なタイミングで画素データに対するサンプリングを行い、このサンプリングした画素データによって画像データを再構成するように信号処理を実行すればよい。
【０１０９】
そして、例えばビデオコントローラ３８は、このようにして得られたサムネイル画像データについてのインデックス情報（図９により説明）を生成し、このインデックス情報と共にこのサムネイル画像データをディスクのサムネイルトラックに記録するように制御を実行する。
このようにして、ファイルごとに対応したサムネイル画像データが得られ、ディスクに記録される。
【０１１０】
なお、本実施の形態としては、これまでの説明から分かるように、画像データ（音声データを含む）の他、音声のみによる音声データ、更には文字情報データなどもファイルとして記録可能とされるが、例えば、音声データ、文字情報データ等、そのファイル内にサムネイル画像の生成元となる画像データが無いような場合には、例えば、予め音声データや文字情報データであることを視覚的に認識できるような絵柄の画像データを用意しておき（例えばビデオコントローラ３８のＲＯＭ内に格納しておいたり、ディスクの所定領域に格納するなどしておけばよい）、この画像データをサムネイル画像として利用するようにすればよいものである。
【０１１１】
７．スクリプト
また、本実施の形態においては、当該ビデオカメラにより記録したファイル（主として録画ファイル）についての、再生順指定や再生時に所要の特殊効果を与えるなどの編集処理を行うことができる。
上記のような編集を行うのにあたり、本実施の形態では、録画ファイルについて所要の再生出力態様を与えることのできる再生制御情報としてのスクリプトを用意し、ビデオカメラにおいては、例えばビデオコントローラ３８がこのスクリプトを解釈することで、編集結果に応じた再生出力態様（例えば再生順）を得るようにするものである。また、編集段階においては、スクリプトの内容の更新を行うことで編集処理を実行するように構成されるものである。なお、ここでいう「スクリプト」とは、動画像データ、静止画像データ、音声データ、更には文書データ等を同時タイミングで再生出力するために、所定のプログラム言語により記述された手続き書き構造をいうものとされる。
【０１１２】
そこで先ず、本実施の形態において再生制御情報として利用されるスクリプトについて概略的に説明する。
【０１１３】
本実施の形態としては、スクリプトとしてＳＭＩＬ(Synchronized Multimedia Integration Language)を採用するものとする。
ＳＭＩＬとは、例えばインターネット上でのテレビ番組放送、プレゼンテーション等を実現するために、Ｗ３Ｃ（インターネットの標準化団体）で標準化が行われている言語であり、ＸＭＬ（ＨＴＭＬのスーパーセット）の文法に基づき、時系列的なプレゼンテーション等を実現しようとするものである。
【０１１４】
先ず、スケジューリングは＜ｓｅｑ＞，＜ｐａｒ＞の２つのタグにより表現される。
＜ｓｅｑ＞は、ｓｅｑｅｎｔｉａｌ、つまり直列を意味し、このタグで囲まれた情報は時間順に再生されることになる。
＜ｐａｒ＞は、ｐａｒａｌｌｅｌ、つまり並列を意味し、このタグで囲まれた情報は同期して再生されることになる。
【０１１５】
ここで、例えばディスクに記録されているとされるファイルにおいて、ｖｉｄｅｏ１，ｖｉｄｅｏ２，ｖｉｄｅｏ３として表される画像データのファイルについて、ｖｉｄｅｏ１→ｖｉｄｅｏ２→ｖｉｄｅｏ３の順に再生するように指定した場合には、
0004114317.tif 000002
或いは
0004114317.tif 000003
のようにして記述が行われる。
【０１１６】
また、ファイルｖｉｄｅｏ１→ｖｉｄｅｏ２→ｖｉｄｅｏ３の順に再生すると共に、ｖｉｄｅｏ１に対しては、音声データのファイルであるａｕｄｉｏ１をアフレコトラックとして同時再生させたいときには、
0004114317.tif 000004
のようにして記述が行われることになる。
【０１１７】
また、或るファイルと同期再生させるべきファイルについて、この或るファイルが再生されて何秒後の位置から再生させる等の指定を行うための記述も用意されている。
例えば、ｖｉｄｅｏ１の画像ファイルが表示（再生）されてから５秒後にキャプション（例えば文字情報としての画像）を表示させるような場合には、
0004114317.tif 000005
のようにして記述が行われることになる。
【０１１８】
また、例えば静止画ファイルとしてのファイルｐｉｃｔｕｒｅ１を５秒間表示するように指示するのであれば、
＜ｉｍａｇｅ  ｓｒｃ＝”ｐｉｃｔｕｒｅ１”  ｄｕｒ  ＝  ”５ｓ”＞
のようにして記述される。
【０１１９】
また、いわゆるフレームミュートといわれ、或る動画ファイルの一部を抜き出すようにして再生する場合には、「ｒａｎｇｅ」を利用する。例えば、タイムコードとしてＳＭＰＴＥ(Society of Motion Picture and Television)の規格を採用しているとして、
＜ｖｉｄｅｏ  ｓｒｃ＝”ｖｉｄｅｏ１”ｒａｎｇｅ＝”ｓｍｐｔｅ：１０：０７：００−１０：０７：３３”＞
のようにして記述することができる。
【０１２０】
また、或るファイルを指定してリピートを行うのには、「ｒｅｐｅａｔ」を利用する。例えばｖｉｄｅｏ１のファイルを１０回リピートするのであれば、
＜ｖｉｄｅｏ  ｓｒｃ  ＝  ”ｖｉｄｅｏ１”ｒｅｐｅａｔ  ＝  ”１０”＞
のようにして記述する。
【０１２１】
そして本実施の形態においては、このような、ＳＭＩＬといわれるスクリプトを利用し、サムネイル表示として所要の表示形態を与えるための表示制御を実行可能に構成されるものである。
このため、例えば本実施の形態のビデオカメラシステムにおいては、このＳＭＩＬに対応した解釈、及びスクリプトの記述（生成）が行えるように、ＸＭＬのサブセットが用意されることになる。これは、例えばビデオコントローラ３８が実行すべきプログラムとして、プログラムメモリ３９等に予め格納したり、或いはディスクのアプリケーションレイヤーに対して記録して、読み出しが行えるようにしておけばよい。
【０１２２】
本実施の形態においては、このようなスクリプトは、例えば、編集段階（又は録画操作を行っている段階）において、ビデオコントローラ３８が生成又は更新を行って、例えばバッファメモリ３２内の所定領域に保持しておくものとされる。
そして、このようにしてバッファメモリ３２に保持されたスクリプトを、所定の機会、又はタイミングでもってディスクに記録するようにされる。このスクリプトのデータは、図１０及び図１１にて説明した補助データトラック(Auxiliary Data Track)に対して、スクリプトファイルとして格納されることになる。このようにしてディスクにスクリプトが記録されることで、次にこのディスクを新たに装填したときには、このディスクに記録されたスクリプトを読み出し、例えば、バッファメモリ３２に対して保持させてこれを参照することで、以前の編集により得られた再生順等に従って編集再生等を行うことが可能となるものである。
【０１２３】
８．操作画面表示
本実施の形態のビデオカメラでは、ディスクに記録されたファイルの検索、また各種編集、設定処理を行うのにあたり、表示パネル６７に対して、操作画面の表示を行う。
この操作画面としては、現在装填されているディスク、及びこのディスクに記録されたファイル等についての各種情報を提示するようにしている。そして、この操作画面に対する押圧操作（以降はポインティング操作という）と、各種操作子に対する操作の併用によって、或る目的に従った各種操作が実現されるようにしている。
ここで、本実施の形態の操作画面としては、現在装填されているディスクに記録されたファイルごとに対応するサムネイル画像（小画像）を提示する、いわゆるサムネイル表示を行うようにもされている。つまり、ユーザは、この操作画面に表示されるサムネイル画像を見ることで、ディスクに記録されたファイル（トラック）の内容を視覚的に確認できる。また、このサムネイル画像に対する操作によって、ファイルの検索や再生等を行うことができる。
【０１２４】
図１１は、本実施の形態のビデオカメラの表示パネル６７に表示される操作画面の表示形態例を示している。
この操作画面は、例えばディスクが装填された状態で再生／編集モードとされると初期画面として表示されるようになっている。
【０１２５】
この図にあっては、先ず、表示領域の上段において、情報表示エリアＡ１が設けられる。この情報表示エリアＡ１においては、ユーザにとって必要とされる各種情報が提示されるもので、ここでは、バッテリ残量表示エリアＡ１−１、スポーツモード表示エリアＡ１−２、再生モード表示エリアＡ１−３、記録残り時間表示エリアＡ１−４、ディスクアイコンＡ１−５が配置される。
【０１２６】
バッテリ残量表示エリアＡ１−１では、バッテリ残量をバッテリのシンボルと時間によって示すようにしている。
また、ここでは詳しい説明は省略するが、本実施の形態のビデオカメラでは、再生モードとして、例えばコマ送り再生などが行われてユーザが撮影した被写体等の運動の動きを確認可能なスポーツモードを設定可能とされている。そして、スポーツモード表示エリアＡ１−２では、スポーツモードが設定されていると、例えば図のように「ＳＰＯＲＴ」という文字によって現在スポーツモードが設定されていることを通知する。
再生モード表示エリアＡ１−３では、例えばシャッフル再生、リピート再生、Ａ−Ｂ間再生など、各種特殊再生モードを文字、シンボル等によって提示する。記録残り時間表示エリアＡ１−４は、ディスクの記録可能な残り容量を時間によって示している。
ディスクアイコンＡ１−５は、例えばディスクが装填されていると表示され、このディスクアイコンＡ１−５に対してポインティング操作を行うと、この図に示す操作画面から、現在装填されているディスクに関する各種情報が表示される、ディスク情報画面の表示に切り換えることが可能となっている。
【０１２７】
この情報表示エリアＡ１の下側には、サムネイル表示エリアＡ２が設けられる。ここでは、最大９枚（９ファイル分）のサムネイル画像を表示可能とされ、Ａ〜Ｉのサムネイル画像ＳＮが表示されている状態が示されている。ここでは示していないが、例えば実際には、各サムネイル画像ＳＮとしては、例えばそのファイルが録画ファイルであれば、その録画ファイルにおいて抜き出された画像が静止画像として表示されている。
【０１２８】
また、ここでＡ〜Ｉのアルファベット順による各サムネイル画像ＳＮの配列順は、基本的には再生順に従っている。つまり、本実施の形態においては、スクリプトにより指定されるファイル再生順に従った所定の配列順によってサムネイル画像を表示可能とされている。但し、ソートなどの操作が行われれば、そのソート順に従ってサムネイル画像が表示される。
【０１２９】
この場合、一度に表示可能なサムネイル画像数は９つとされているが、例えばディスクに記録されているトラック（ファイル）数が９よりも多く、従ってサムネイル画像数も９より多い場合には、サムネイル表示エリアＡ２の右横に表示されるスクロールバーＡ４に対して、ポインティングを行って例えばドラッグ操作を行うことで、サムネイル表示エリアＡ２に表示されているサムネイル画像をスクロールさせながら表示させることができるようになっている。
【０１３０】
また、サムネイル表示エリアＡ２に表示されている各サムネイル画像ＳＮ上においては、各種アイコンが重畳表示されている。
これらアイコンとして、先ず動画アイコンｉ１は、このアイコンが重畳表示されているサムネイル画像が対応するファイルが動画を記録したファイルであることを示している。図１１の場合であれば、サムネイル画像（Ａ，Ｂ，Ｃ，Ｄ，Ｅ）が動画ファイルであることが認識される。
【０１３１】
また、サムネイル画像（Ｇ）に表示されているアイコンは、静止画アイコンｉ２であり、このアイコンによって、そのファイルが静止画ファイルであることが示される。
サムネイル画像（Ｈ）に表示されているのはインタビューファイルアイコンｉ３であり、前述したインタビューモードによって記録されたインタビューファイルであることが示される。
【０１３２】
また、サムネイル画像（Ｉ）に表示されているのはグループアイコンｉ４である。本実施の形態のビデオカメラでは、サムネイル表示上での管理として、再生順的に連続する複数のファイルを１纏めにしてグループ化し、このようにしてグループ化した複数ファイルを１つのサムネイル画像として表示することができる。グループアイコンｉ４は、このようにしてグループ化に対応したサムネイル画像に対して重畳表示される。
【０１３３】
また、サムネイル画像（Ｆ）に表示されているアイコンは、メモファイルアイコンｉ５である。本実施の形態のビデオカメラでは、編集機能として、ユーザがメモ書きをした内容を１つの独立したファイルとして作成可能とされている。このようなメモファイルを例えば任意のファイルの前に挿入して再生させれば、そのファイルのタイトル的な内容がメモファイルによって表示されるようにすることができる。メモファイルアイコンｉ５は、そのファイルがメモファイルであることを示す。
【０１３４】
また、例えばサムネイル画像（Ｃ，Ｅ）に表示されている鉛筆を模したアイコンは、落書きアイコンｉ６である。本実施の形態のビデオカメラの編集機能として、既に記録した画像ファイルに対して、ユーザがペン３２０等によって行ったパネル表示部６７への操作軌跡や、スタンプ画像などの貼り付け操作等によって、落書き的な画像を追加させることが可能とされている。
落書きアイコンｉ６は、この落書き機能によって落書きされたファイルであることを示す。
【０１３５】
また、サムネイル画像（Ｂ，Ｅ）にはマークアイコンｉ７が表示されている。ユーザは、操作画面に対する所定の操作によって、任意のファイルに対してマークを付すことができる。例えばユーザは、自分にとって重要度の高いファイルについてその覚えとしてマークを行うようにされる。そしてマークアイコンｉ７は、このマークが付されていることを示す。
【０１３６】
サムネイル画像（Ａ，Ｅ）にはロックアイコンｉ８が表示されている。ユーザは、これも操作画面に対する所定の操作によって、任意のファイルについて削除、及び編集等の変更等を行わせないように「ロック」を設定することができる。ロックアイコンｉ８は、そのファイルがロックされていることを示す。
また、サムネイル画像（Ａ，Ｅ）の下側には、エフェクトアイコンｉ９が表示されている。本実施の形態では、例えば各種シーンチェンジや、モザイクなどの特殊再生効果をファイルに与えることが可能とされているが、エフェクトアイコンｉ９はこのような特殊効果が与えられたファイルであることを示している。
【０１３７】
本実施の形態では、このようにして、各種アイコンをサムネイル画像上に重畳表示することで、そのサムネイル画像が対応するファイルの種別、各種設定状況等の諸属性を、ユーザに対して視覚的に認識させることが可能となっている。
【０１３８】
また、サムネイル画像（Ｅ）の画像を枠取るようにして表示されるポインタアイコンｉ１０は、例えばユーザがペン３２０などによって、サムネイル画像上をポインティング操作することで、そのポインティング操作されたサムネイル画像に対して移動して表示されるものである。そして、このポインタアイコンｉ１０が配置表示されているサムネイル画像が、現在選択されていることになる。
【０１３９】
また、本実施の形態の操作画面の実際としては、ポインタアイコンｉ１０が配置されていないサムネイル画像についてはアイコンは重畳表示されず、ポインタアイコンｉ１０が配置されて選択が行われたときに、このサムネイル画像に対してアイコンの重畳表示が行われるようになっているものである。
【０１４０】
そして、例えばユーザが所望のサムネイル画像に対してポインタアイコンｉ１０を配置させた状態で再生／ポーズキー３０８を操作したとすると、このポインタアイコンｉ１０が配置されて選択されているファイルから再生が開始されるようになっている。或いは、ポインタアイコンｉ１０が配置表示されているサムネイル画像に対して、再度ポインティング操作を行うと、このポインタアイコンｉ１０が配置されているトラックから再生が開始されるようになっている。
【０１４１】
サムネイル表示エリアＡ２の左側には、各種メニューキーが表示されるメニューキーエリアＡ３が設けられる。
このメニューキーエリアＡ３においては、上から順に、再生メニューキーＡ３−１、編集メニューキーＡ３−２、落書き・効果メニューキーＡ３−３、スタジオメニューキーＡ３−４、設定メニューキーＡ３−５、アドバンストメニューキーＡ３−６が配置表示される。
【０１４２】
再生メニューキーＡ３−１は、各種再生に関するメニューを提示し、設定を行うためのキーであり、例えば再生モード表示エリアＡ１−３に反映される再生モード等を設定することができる。
編集メニューキーＡ３−２は、記録されたファイル単位での編集に関連する各種項目が提示され、例えば、トラック（ファイル）の移動、コピー、削除、トラック分割、トリミング、ファイルのグループ化、静止画取りだし（例えばサムネイル画像として表示させる静止画の選択である）が行える。また、トラック情報を提示すると共にトラック情報ごとに関する各種設定が行えるトラック情報画面への移行のための操作もここで行える。
【０１４３】
落書き・効果メニューキーＡ３−３は、落書き機能、及びシーンチェンジ（フェードイン、フェードアウト、ワイプなど）、音声特殊効果、画像特殊効果（モザイク、セピア処理）などの各種特殊再生効果の設定を行うためのメニューが提示される。
また、本実施の形態のビデオカメラでは、ユーザがＧＵＩに従って録画及び操作を行っていくことで、簡易に映像作品を作成できる機能を有している。スタジオメニューキーＡ３−４は、このような簡易映像作品作成機能に対応したメニューが提示される。
【０１４４】
設定メニューキーＡ３−５は、例えば表示部６Ａとしての画面の明るさ、パネル色の濃淡、ビューファインダーの明るさ、日時設定、静止画設定時間等の各種設定を行うためのメニューが提示される。
アドバンストメニューキーＡ３−６は例えばパーソナルコンピュータなどの外部機器との接続機能やデモモード等に関してのメニューを提示する。
【０１４５】
また、表示領域の下段には、トラック情報表示エリアＡ５が設けられる。このトラック情報表示エリアＡ５には、サムネイル表示エリアＡ２において選択されている（ポインタアイコンｉ１０が配置されている）サムネイル画像が対応するトラックについての情報が表示される。
ここでは、先ずトラックナンバ表示エリアＡ５−１においてトラックナンバが示され、続いて、日時／タイトル表示エリアＡ５−２において、記録日時とそのトラックに対して付されているタイトルが所定時間（例えば数秒）ごとに交互に表示される。時間表示エリアＡ５−３には、そのトラックの総時間が表示される。
また、ショートカットアイコンＡ５−４は、選択されているサムネイル画像が対応するファイルの種別、グループ化設定の有無等に対応して、先に述べた各種アイコン（例えば、動画アイコンｉ１、静止画アイコンｉ２、インタビューファイルアイコンｉ３、グループアイコンｉ４、メモファイルアイコンｉ５）の何れかが表示される。そして、このショートカットアイコンＡ５−４に対してポインティング操作を行うと、トラック情報画面に移行することができるようになっている。
【０１４６】
ここで、メニューキーエリアＡ３に対する操作例として、再生メニューキーＡ３−１の場合を例に挙げて、図１２により説明しておく。
例えば図１２に示すようにして、再生メニューキーＡ３−１に対して例えばペン３２０などによりポインティング操作を行ったとすると、第１ポップアップメニューが表示される。第１ポップアップメニューには、この場合、「←戻る」、「スポーツ分析モード」「プレイモード」「ソート」のメニュー項目が表示されている。この第１ポップアップメニューが表示されている状態で、例えばジョグダイヤル３０３を回転操作（或いはペン等による画面に対するドラッグ操作などとしてもよい）すると、その回転方向に応じて、選択される項目が移動していくようにされる。そして、例えば図のようにして、「プレイモード」を選択して、ジョグダイヤル３０３を押圧操作する（或いはペンによる一定時間以上のポインティング操作などとしてもよい）と第２ポップアップメニューが表示される。
【０１４７】
ここで、第２ポップアップメニューには、「ノーマル」「ディスクリピート」「シャッフル」「イントロスキャン」の４つの項目が表示されている。そして、ユーザは、この第２ポップアップメニュー上で、上記した第１ポップアップメニューに対する操作と同様の操作を行うことで、これらの項目のうちから所望の項目を選択、決定することができる。このようにして設定されたプレイモードは、例えば図１１に示した再生モード表示エリアの表示内容に反映される。
【０１４８】
９．本実施の形態のトリミング編集
本実施の形態のビデオカメラでは、先に図１１に示した操作画面に対するＧＵＩ操作によって、既にディスクに記録されている所定単位の動的データ（動画像データ）とされるファイル（トラック）から、その中間部分のデータを抜き出すトリミング編集を行うことが可能とされる。
そこで、以下、本実施の形態としてのトリミング編集について説明することとする。
なお、これまでもビデオカメラにおいてトリミング編集を行うことが可能とされていることから、本実施の形態としてのトリミング編集を「自動トリミング編集」と表記することとし、従来のトリミング編集とは区別することとする。
【０１４９】
９−１．トリミング編集操作
先ず、本実施の形態としての自動トリミング編集のための操作手順について説明するが、上述したように、これまでもビデオカメラにおいてトリミング編集を行うことが可能とされることから、本実施の形態としての自動トリミング編集の操作手順を説明する前に、従来のトリミング編集の操作手順について簡単に説明しておく。
なお、以下に説明する従来のトリミング編集の操作手順は、例えば本実施の形態のビデオカメラに対して、従来のトリミング編集機能が設けられているものとして説明する。従って、ここで説明する従来のトリミング編集は、表示パネル６７に表示される操作画面や各種操作部７の操作キーに基づいて行われるものとする。
【０１５０】
先ず、本実施の形態のビデオカメラにおいて、従来のトリミング編集を行う際には、例えば図１１に示した操作画面上に表示されている編集メニューキーＡ３−２のポインティング操作を行い、編集のための各種メニュー項目を配列した第１ポップアップメニューを表示させる。そして、この第１ポップアップメニュー内のメニュー項目（例えば「トリミング」の項目）を選択する操作を行うことで、トリミングのためのトリミングモードに移行させる。
【０１５１】
トリミングモードに入ると、表示パネル６７は、これまでの操作画面表示から、サムネイル画像が複数表示されるトラック選択画面に移行する。そして、ユーザはこのようなトラック選択画面から例えばポインティング操作などによって、トリミングを行いたいトラック（ファイル）を選択して、表示パネル６７に選択したトラックを再生表示させるようにする。
このようにして選択トラックが再生表示されている時は、ユーザは所定のキー操作等により、トリミングしたい画像の始点と終点を指定することができるものとされる。
そして、ここでユーザが選択トラックの再生表示を見ながらトリミングしたい画像の始点と終点において所定の操作キーの操作を行うようにする。
これにより、選択したトラックの画像データからユーザが指定した２点（始点，終点）間の画像データを抜き出すトリミング編集が行われるものとされていた。
【０１５２】
次に、本実施の形態としてのトリミング編集のための操作手順について、図１３、図１４を参照しながら説明を行っていく。
本実施の形態としての自動トリミング編集を行う場合においても、操作画面上に表示されている編集メニューキーＡ３−２に対してポインティング操作を行う。すると、図１３に示すように、編集のための各種メニュー項目を配列した第１ポップアップメニューが表示される。そして、この第１ポップアップメニュー内の「自動トリミング」のメニュー項目を選択決定すると、トラック（ファイル）の自動トリミングモードに入ることになる。
【０１５３】
自動トリミングモードに入ると、表示パネル６７は、これまでの操作画面表示から、先ず、図１４（ａ）に示すトラック選択画面に移行する。このトラック選択画面では、ファイルとしてのトラックのサムネイル画像ＳＮが複数表示される。また、サムネイル画像ＳＮを表示させているサムネイル表示領域は、スクロールバーＡ４に対する操作を行うことで、例えば上下方向に移動させることが可能とされる。そして、ユーザは例えばポインティング操作などによって、トリミングを行いたいファイルを選択するものである。なお、画面右下に表示される「中止」ボタンＢＴ１の操作を行えば自動トリミングモードを抜けて操作画面に戻ることができる。
【０１５４】
上記図１４（ａ）に示したトラック選択画面に対する操作によって、自動トリミングを行うべきファイルの選択決定が行われると、続いては、図１４（ｂ）に示す選択トラック再生画面に移行する。
この選択トラック再生画面では、トリミング対象として選択されたファイルが繰り返し再生表示される。ユーザは、この再生表示される画像を見ながら、トリミングしたい画像のほぼ中心位置のタイミングで、例えば画面右下に表示される「一時停止」ボタンＢＴ２を操作して一時停止のための操作を行う。なお、「中止」ボタンＢＴ１を操作すれば、例えば１段階前の図１４（ａ）に示すトラック選択画面に戻ることができる。
【０１５５】
上記「一時停止」ボタンＢＴ２により一時停止操作が行われると、表示パネル６７の表示画面は、図１４（ｃ）に示す一時停止画面となる。この一時停止画面は、画像位置が適切であるかどうかをユーザが確認するための画面であると共に、ユーザが画像位置の微調整を行うための画面でもある。
ここで、例えば一時停止画面の画像位置が適切でない場合には、例えばビデオカメラ本体２００に設けられているジョグダイヤル３０３を操作して一時停止画面をコマ送りすることで、適正な画像位置となるように微調整を行うことが可能とされる。
そして、例えば一時停止画面が適切な画像位置、つまりトリミングしたい画像のほぼ中心位置（以下、「トリミング基準画像位置」ともいう）となったら、例えば画面右下に表示される「実行」ボタンＢＴ５の操作を行うようにする。
これにより、一時停止画面として表示された画像（トリミング基準画像）を含んでトリミングされたトラックが形成される。つまり、本実施の形態の自動トリミング編集が実行されることになる。
【０１５６】
上記したような自動トリミング編集により形成されるトラックは、ユーザが指定したトリミング基準画像を含み、且つ、予め設定されているトリミング時間分の画像データから形成される。
【０１５７】
このようなトリミング時間は、ユーザが任意に設定可能とされる。
トリミング時間は、例えば図１４（ｂ）に示す選択トラック再生画面において、ユーザが「詳細」ボタンＢＴ３を操作することで変更できるものとされる。
ここで、例えばユーザが「詳細」ボタンＢＴ３を操作すると、図１４（ｄ）に示すトリミング時間設定画面に移行する。
この図１４（ｄ）に示すトリミング時間設定画面は、図１４（ｂ）に示した選択トラック再生画面上に、トリミング基準画像位置より前のトリミング時間と、その後ろのトリミング時間の設定を行うための設定画面が重畳されて表示される。
この図１４（ｄ）には、トリミング時間として予め設定されるデフォルト時間が示されており、この場合のトリミング時間は、トリミング基準画像位置の前２秒と、後ろ２秒と設定されていることが示されている。
従って、この場合には、トリミング編集後のファイルは、トリミング基準画像位置の前後２秒分の画像データ、即ちトリミングしたい画像を中心として計４秒分の画像データによって形成されることになる。
【０１５８】
ここで、例えばユーザがトリミング設定時間を変更したい場合には、「▲」ボタンＢＴ６、「▼」ボタンＢＴ７を操作すれば良い。そして、トリミング時間の設定変更後は、例えば画面右下に表示される「決定」ボタンＢＴ４の操作を行うことで、トリミング時間が新たな設定時間に設定されて、図１４（ｂ）に示す選択トラック再生画面に戻ることになる。
【０１５９】
以降は、上述したように、図１４（ｂ）に示した選択トラック再生画面の画像を見ながら、トリミングしたい画像位置のタイミングで、「一時停止」ボタンＢＴ２を操作するなどして、図１４（ｃ）に示した一時停止画面を適切な画像位置（トリミング基準画像位置）として面右下に表示される「実行」ボタンＢＴ５の操作を行うようにする。これにより、ユーザがトリミング設定画面において設定したトリミング設定時間に対応したトラックを形成することができる。
【０１６０】
このように、本実施の形態の自動トリミング編集は、従来のトリミング編集のようにトリミングしたい画像の始点と終点の２点を指定する必要が無く、トリミングしたい画像の中心位置（トリミング基準画像位置）を指定するという簡単な操作で、選択したトラックの中間部分のデータを抜き出すというトリミング編集を容易に行うことが可能になる。
そして、この場合は、トリミング編集後のトラックの再生時間がトリミング設定時間に対応したものとなる。このため、例えば１つのディスクに、複数のプレーヤのゴルフスイングなどの動画像を録画したトラックが存在し、これらのトラックから各プレーヤのショット（インパクト）画像だけをトリミング編集した場合は、トリミング編集後の各トラックの再生時間が同一となる。
つまり、従来のトリミング編集作業では困難であったトリミング編集後の新たなトラックの録画時間を同一とすることができるため、トリミング編集後のトラックを連続的に再生した時に非常に見易いものとすることができる。
【０１６１】
９−２．トラック管理処理
上記したような本実施の形態の自動トリミングによって形成されるトラックの構造として次のようになる。
先ず、ディスクに記録されているトラックから自動トリミングを行うべきトラックとして、図１５（ａ）に示されているトラック＃Ｎが選択されたとする。
この場合、このトラック＃Ｎは、例えば図のように、開始アドレスA1、終端アドレスA7とされており、開始アドレスA1から再生が開始される。
トラック＃Ｎが再生されている時に、上述したように「一時停止」ボタンＢＴ２を操作という操作画面に対する操作によって、トリミング基準点（トリミング基準画像位置）ＴＣを指定するものとされる。この図にあっては、データの再生時間的に開始アドレスA1より後ろとされるアドレスA4に対応するデータ位置にてトリミング基準点ＴＣの指定が行われている。
【０１６２】
このようにしてトリミング基準点ＴＣが指定された後、例えば図１４（ｃ）に示した「実行」ボタンＢＴ５の操作が行われると、このトリミング基準点ＴＣのアドレスA4からトリミング設定時間に対応した新たな開始アドレスと終端アドレスを求めるようにされる。
このようなトラック＃Ｎの新たな開始アドレス、及び終端アドレスは、トリミング基準点ＴＣのアドレスA4と、データ書き込みの最小単位であるクラスタ単位、及びデータ読み出しの最小単位であるセクタあたりの再生時間情報等に基づいて容易に求めることが可能とされる。
ここで、トリミング基準点ＴＣより前のトリミング設定時間をＴ１、トリミング基準点ＴＣより後ろのトリミング設定時間をＴ２とすると、図１５（ｂ）に示すように、新たに形成される新規トラック＃Ｎの開始アドレスは、アドレスA1からA3に変更設定される。また、終端アドレスは、アドレスA7からA5に変更設定されるように管理情報についての書き換え（更新）が行われる。
【０１６３】
管理情報についての書き換え（更新）は、例えば自動トリミング編集前の元のトラックの管理情報を自動トリミング編集後の新たなトラックの管理情報に更新（上書き）する、或いは編集後の新たなトラックの管理情報を追加する等の書き換えが行われるものとされる。
【０１６４】
ここで、自動トリミング編集前の元のトラックの管理情報を、自動トリミング編集後の新たなトラックの管理情報として更新（上書き）すると、元のトラックデータのアドレスA3より前のトラックであったアドレスA1−A2のデータ区間と、アドレスA5より後ろのトラックデータであったアドレスA6−A7のデータ区間は空きエリアとなるように管理情報上で管理が行われるものとなる。
つまり、この場合は、アドレスA1−A2のデータ区間のデータとアドレスA6−A7のデータ区間のデータに対応する所定時間のデータが、トラックデータから削除されたものとして扱われるものとなる。従って、この場合はトラックが記録されているディスクの有効的に利用することが可能になる。
【０１６５】
これに対して、自動トリミング編集後の新たなトラックの管理情報を新たなトラックの管理情報として追加した場合は、例えば１つのトラックから複数の画像をトリミングする場合等において有効なものとなる。
例えば１つのトラックに複数のプレーヤのゴルフスイングなどの画像が記録され、このトラックから各プレーヤがとのスイング画像をトリミング編集する場合などにおいては、元のトラックの管理情報を新たなトラックの管理情報として更新（上書き）すると、以降は、元のトラックに記録されている他のプレーヤの画像についてトリミング編集を行うことができなくなる。
そこで、このような場合には、自動トリミング編集後の新たなトラックの管理情報を追加し、元のトラックの管理情報を残しておくことで、１つのトラックから複数の画像のトリミング編集を行うということが可能になる。
つまり、アドレスA1−A2のデータ区間のデータとアドレスA6−A7のデータ区間のデータに対応する所定時間のデータを削除した新たなトラックの管理情報を追加しすることで、元のトラックの管理情報から複数の画像のトリミング編集を行うようにしている。
【０１６６】
９−３．サムネイル画像変更処理
ところで、先に説明したように、本実施の形態では、ディスクに記録されているトラック（ファイル）を視覚的に認識可能とするために、トラックごとに対応付けしたサムネイル画像を有するものとされる。このようなサムネイル画像は、特段の指定が無ければ、例えばトラック中における先頭のフレーム（又はフィールド）画像データが指定されているものとされる。
このため、従来のトリミング編集では、トリミング編集後の新たなトラックの内容とサムネイル画像とが一致しないものとなり、別途サムネイル画像の変更するための編集作業を行う必要がある。
【０１６７】
そこで、本実施の形態の自動トリミング編集では、上述したようなトリミング編集と共に、サムネイル画像の変更処理を行うようにしている。
そして、この場合のサムネイル画像の生成元として規定される画像データは、上記図１４（ｃ）に示した「実行」ボタンＢＴ５を操作した際の一時停止画面とされるトリミング基準画像とした。
つまり、この場合は、トリミング基準画像に基づいて得られるサムネイル画像データについてのインデックス情報を生成し、このインデックス情報と共にこのサムネイル画像データをディスクのサムネイルトラックに記録することで、自動トリミング編集後の新たなファイルに対応したサムネイル画像データを得るようにしている。
【０１６８】
このようにすれば、トリミング編集作業を行った後に、ユーザがサムネイル画像を変更するための編集作業を行う必要がなく、これまでのようにトリミング編集とサムネイル編集をそれぞれ別に行う場合に比べて編集時間を短縮することが可能になる。
また、トリミング編集後のトラックのサムネイル画像は、ユーザが指定したトリミング基準画像に変更されるため、このようなサムネイル画像を一覧表示することで、ユーザはディスクのトラック（ファイル）内容を容易に認識することができる。
【０１６９】
なお、本実施の形態の自動トリミング編集では、トリミング編集処理と共に、サムネイル画像の変更編集も行うものとして説明したが、これはあくまでも一例であり、このようなサムネイル画像の変更編集は選択可能な構成とすることも可能とされる。
【０１７０】
また、これまで説明してきた本実施の形態の自動トリミング編集は、動画／音声が記録再生されるカメラモードについて編集を行う場合を例に挙げたが、本発明の自動トリミング編集としては、音声のみのオーディオトラックを編集対象とする場合や、音声主体で静止画が付随するインタビューモードトラックを編集対象とする場合にも適用が可能とされる。
【０１７１】
９−４．処理動作
続いて、これまでの説明を踏まえて、本実施の形態の自動トリミング編集を行うための処理動作について図１６のフローチャートを参照して説明する。
なお、この処理は、ビデオコントローラ３８がマスターコントローラとして機能したうえで、データ処理／システムコントロール回路３１、ドライバコントローラ４６等が適宜制御処理を実行することで実現されるものである。
【０１７２】
本実施の形態の自動トリミング編集は、例えばユーザが図１３に示した操作画面上に表示されている編集メニューキーＡ３−２に対してポインティング操作を行い、編集のための各種メニュー項目を配列した第１ポップアップメニューが表示したうえで、この第１ポップアップメニュー内の「自動トリミング」のメニュー項目を選択する操作が行われることで実行される。
ここで、例えばユーザによって第１ポップアップメニュー内の「自動トリミング」のメニュー項目が選択されると、ビデオコントローラ３８は、ステップＳ１０１においてトラック選択画面を表示させるための制御を実行する。これにより、表示パネル６７には、図１４（ａ）に示したようなトラック選択画面が表示されることになる。
【０１７３】
そして次のステップＳ１０２においては、図１４（ａ）に示したトラック選択画面において、自動トリミングすべきトラックの選択操作が行われたか否かの判別を行い、トラックの選択操作が行われた時はステップＳ１０３に進んで、選択されたトラックの再生を行うための制御処理を実行するようにされる。即ち、図１４（ｂ）に示した選択トラック再生画面を表示するための表示制御を実行する。また、この時には、図１４（ｂ）に示したように、再生画面内の所要位置に対して、「詳細」ボタンＢＴ３、「中止」ボタンＢＴ１、「一時停止」ボタンＢＴ２を表示させることも行われる。
【０１７４】
続くステップＳ１０４においては、図１４（ｂ）に示した「詳細」ボタンＢＴ３の操作が行われたか否かの判別を行い、「詳細」ボタンＢＴ３が操作されたと判別した時は、ステップＳ１０５に進んで、図１４（ｄ）に示したトリミング時間設定画面を重畳表示するための表示制御を実行する。またこの時には、再生画面内の所要位置に対して、「決定」ボタンＢＴ４、「中止」ボタンＢＴ１を表示させることも行われる。
【０１７５】
次のステップＳ１０６においては、この図１４（ｄ）に示した「決定」ボタンＢＴ４の操作が行われたか否かの判別を行い、「決定」ボタンＢＴ４が操作されたと判別した時はステップＳ１０７に進む。
ステップＳ１０７においては、図１４（ｄ）に示したトリミング時間設定画面において設定されたトリミング基準点ＴＣより前のトリミング時間Ｔ１と、トリミング基準画像より後ろトリミング時間Ｔ２の設定を行うと共に、選択トラック再生画面上に重畳表示していたトリミング時間設定画面を消去した後、ステップＳ１０８に進む。
なお、ステップＳ１０４において、「詳細」ボタンＢＴ３の操作について否定結果が得られた時は、上記ステップＳ１０５〜Ｓ１０７の処理を行うことなく、ステップＳ１０８に進むことになる。
【０１７６】
ステップＳ１０８においては、図１４（ｂ）に示した「一時停止」ボタンＢＴ２の操作が行われたか否かの判別を行い、「一時停止」ボタンＢＴ２が操作されたと判別した時は、ステップＳ１０９に進み、ステップＳ１０９において、トラック再生を一時停止して、図１４（ｃ）に示した一時停止画面を表示させるための表示制御処理を実行する。
つまり、一時停止操作が行われた時のフレーム画像データを表示パネル６７の表示領域に表示出力するための表示制御を実行する。またこの際には、一時停止画面内の所要位置に対して、「実行」ボタンＢＴ５、「中止」ボタンＢＴ１を表示させることも行われる。
そして、続くステップＳ１１０において、ビデオコントローラ３８は、この一時停止された静止画像が自動トリミングを行う際のトリミング基準画像位置（トリミング基準点ＴＣ）として決定するようにされる。
またこの時、ビデオカメラ本体２００に設けられているジョグダイヤル３０３を操作されるなどして一時停止画面がコマ送りされた時は、そのコマ送りされた一時停止画面の静止画像を自動トリミングを行う際のトリミング基準画像位置（トリミング基準点ＴＣ）として決定するようにされる。
【０１７７】
続くステップＳ１１１では、図１４（ｃ）に示した「実行」ボタンＢＴ５の操作が行われたか否かの判別を行い、「実行」ボタンＢＴ５が操作されたと判別した時は、ステップＳ１１２に進み、トリミング基準点ＴＣのアドレスと、トリミング時間Ｔ１，Ｔ２、及びクラスタ単位、及びセクタ単位あたりの再生時間情報等に基づいて、新たなトラックの開始アドレスと終端アドレスを求めるようにされる。
そして、続くステップＳ１１３においては、トリミング基準点ＴＣに対応したフレーム画像データから得られるサムネイル画像データについてのインデックス情報を生成するようにされる。
【０１７８】
そしてステップＳ１１４において、ステップＳ１１２において求めた新たなトラックの開始アドレスと終端アドレス、及び上記ステップＳ１１３において生成したインデックス情報によって管理情報の更新を行うようにされる。なお、この時には、トラックのトリミングが行われたことを示す表示などを表示パネル６７に対して行うようにしても良い。
【０１７９】
そして、このようなステップＳ１１４における処理完了した後、ステップＳ１１５に進んで、自動トリミング編集を継続するか否かの判別を行う。
ここで肯定結果が得られた時は、ステップＳ１０１の処理に戻ることで、これまで説明した自動トリミング編集処理を引き続き行うようにされる。
これに対して否定結果が得られた時は、本実施の形態としての自動トリミング編集処理を終了することになる。
【０１８０】
１０．一括トリミング編集
また、これまで説明した本実施の形態の自動トリミング編集では、例えば１つのディスクに多数のトラックが形成されており、その全てのトラックがトリミング編集の対象トラックである場合などでは、その１つ１つのトラックに対してトリミング編集を行う必要がある。
具体的には、例えば１つのディスクに各プレーヤのゴルフスイング等の画像を記録した多数のトラックが形成されており、各トラックをトリミング編集して、各プレーヤのインパクト画像をトリミングするという場合では、その１つ１つのトラックに対してトリミング編集を行う必要がある。
そこで、本実施の形態では、このような場合のトリミング編集を一括して行うことができる一括トリミング編集が可能とされる。
図１７は、本実施の形態としての一括トリミング編集の一例を示す。
ここで、図１７（ａ）に示すようにして、ディスクに記録されているトラックから自動トリミングを行うべきトラックとして、図１７（ａ）に示されているトラック＃１，＃２を選択したとする。
この場合、このトラック＃１，＃２を選択した状態のもとで、所要の操作により一括トリミング編集の操作が決定された時は、トラック＃１については、その開始アドレスA11と終点アドレスA15からトラック＃１の時間的中心位置のアドレスA13を求めるようにする。またトラック＃２については、その開始アドレスA21と終点アドレスA25からトラック＃２の時間的中心位置のアドレスA23を求めるようにする。
【０１８１】
そして、これらのトラック＃１，＃２の時間的中心位置のアドレスをトリミング基準点ＴＣ１，ＴＣ２と認識し、このトリミング基準点ＴＣ１，ＴＣ２から、設定されているトリミング設定時間Ｔ１，Ｔ２に対応するアドレスを各トラックの開始アドレスと終端アドレスとなるように変更設定するようにされる。
【０１８２】
即ち、図１７（ｂ）に示すように、トラック＃１の開始アドレスはアドレスA11からA12に変更設定され、その終端アドレスはアドレスA15からA14に変更設定されるように管理情報についての書き換えを行うようにしている。
同様に、トラック＃２の開始アドレスはアドレスA21からA22に変更設定され、その終端アドレスはアドレスA25からA24に変更設定されるように管理情報についての書き換え（上書き、または追加）を行うようにしている。
【０１８３】
従って、このような一括トリミング編集によれば、例えば１つのディスクに多数のトラックが形成されており、その中の複数のトラックがトリミング編集の対象トラックである場合などにおいても、１つ１つのトラックごとにトリミング編集を行うという煩わしい操作を行う必要が無いものとすることができる。
但し、この場合のトリミング基準点ＴＣ１，ＴＣ２（トリミング基準画像位置）は、トラックの時間的中央に位置する画像となるため、各トラックの録画の仕方によっては、トリミング基準点ＴＣ１，ＴＣ２の画像が目的の画像と一致するとは限らない。例えば各トラックにゴルフスイングの画像が記憶されている場合には、トリミング基準点ＴＣ１，ＴＣ２の画像が必ずしもインパクトの瞬間の画像になるとは限らない。
そこで、このような一括トリミング編集を行う場合には、予めトリミング設定時間Ｔ１，Ｔ２を或る程度長くしておくと、トリミング編集後のトラックに確実に目的の画像が含まれたものとすることができる。
【０１８４】
また、このような一括トリミング編集作業の際にも、認識されたトリミング基準点ＴＣ１，ＴＣ２の画像を、トリミング編集後の新たなトラックついてのサムネイル画像となるように、管理領域の情報を合わせて更新することが可能であることは言うまでもない。
【０１８５】
なお、本実施の形態のビデオカメラでは、これまで説明した自動トリミング編集や一括トリミング編集の機能をトリミング編集機能として単独で設けるようにしてもよいが、これらの自動トリミング編集と一括トリミング編集をトリミング編集機能として設ける、或いはこれらの自動トリミング編集と一括トリミング編集にと共に、従来のトリミング編集機能とを合わせて設けることも、もちろん可能である。
【０１８６】
また、本発明は上記した構成に限定されるものではなく、各種変更が可能とされる。
例えば、動画像データの圧縮フォーマットとしては、ＭＰＥＧ２を含むＭＰＥＧ方式に限定されるものではなく、他の方式の圧縮技術が採用されても構わないものである。また、記録フォーマットとしても実施の形態として示した例に限定されるものではない。また、本発明としては、動画像データだけではなく、例えばオーディオデータなどのトリミング編集を行う場合にも適用できるものである。
さらには、例えば本発明が対応する記憶媒体としては、ＭＤ以外の他の種類のディスクメディアやフラッシュメモリなどのメモリ素子による記憶媒体に対応したビデオカメラ装置にも適用できるものである。さらには、テープメディアに対応したビデオカメラ装置にも適用は可能とされる。
また、本発明としてはビデオ機器だけではなく、所定種類の記憶媒体に対応して記録再生が可能な他の各種オーディオ・ビデオ機器にも適用が可能である。
【０１８７】
【発明の効果】
以上説明したように本発明によれば、記憶媒体の記憶されるトラックについてのトリミング編集を行う際には、トリミングする動的データの中間部を指示手段により指示することで、制御手段によって、この指示手段によって指示されたトラックの中間部を含み、且つ、このトラックの先頭部と後端部の所定時間のデータが除かれた新たなトラックを管理するように管理領域の管理データを更新することが可能になる。従って、本発明によれば、従来のようにトリミングする動的データの２点（始点、終点）を指定する必要が無く、動的データの中間部を指定するという簡単な操作でトリミング編集を行うことができるようになる。
【０１８８】
また時間設定手段により第１の時間と第２の時間を設定可能とし、この第１及び第２の時間に基づいて、トリミング編集後の新たなトラックの時間を設定できるようにしているため、トラックの内容に合わせたトリミング編集を行うことが可能になる。
また、トリミング編集後のトラックの時間を同一とすることができるため、これらのトラックを連続再生した場合などにおいて非常に見易いものとなる。
【０１８９】
さらに、制御手段により、トラックを管理する管理データが新たなトラックを管理するように管理データの更新を行うようにすれば、記憶媒体の記録領域を有効的に利用することができる。
また、制御手段により新たなトラックを管理する管理データを新たに管理領域に記憶させるようにすれば、例えば１つのトラックから複数の動的データのトリミング編集を行うといったことができるようになる。
【０１９０】
さらにまた、制御手段によりトリミング編集を実行した際に、トラックの中間部に対応する静止画像を新たなトラックに対応する静止画像として管理するように制御することで、トリミング編集作業後に、静止画像を変更するための編集作業を別途行う必要がなく、編集時間の短縮を図ることが可能になる。
また、編集後の静止画像は、ユーザが指定した画像であることから、ユーザはこのような静止画像から記憶媒体に記憶されているトラックの内容を視覚的に認識することが可能になる。
【０１９１】
また本発明は、記憶媒体の記憶されるトラックについてのトリミング編集を行う際には、トリミングしたいトラックを指示手段により指示するだけで、指示手段によって指示されたトラックの中央部を含み、且つ、トラックの先頭部と後端部の所定時間のデータが除かれた新たなトラックを形成することも可能になる。これにより、例えば一つの記憶媒体に同一種類の画像を記憶した複数のトラックがある際に、これらの複数のトラックに対してトリミング編集を行う場合などは、極めて簡単な操作でトリミング編集を行うことが可能になる。
【０１９２】
さらに本発明の編集装置としての機能を例えばビデオカメラ等に設けるようにすれば、例えばパーソナルコンピュータ等の他の編集装置において編集を行う必要がないため、ユーザに対して利便性の良いビデオカメラを提供することができる。
【図面の簡単な説明】
【図１】本発明の実施の形態のビデオカメラに対応するディスクのトラック構造を示す説明図である。
【図２】実施の形態のビデオカメラに対応するディスクのトラック部分を拡大して示す説明図である。
【図３】実施の形態のビデオカメラに対応するディスクの仕様を示す説明図である。
【図４】実施の形態のビデオカメラの内部構成のブロック図である。
【図５】実施の形態のビデオカメラのメディアドライブ部の内部構成のブロック図である。
【図６】実施の形態のビデオカメラの側面図及び平面図である。
【図７】実施の形態のビデオカメラの正面図及び背面図である。
【図８】可動パネル部の動きを示す斜視図である。
【図９】ディスクにおけるファイル／フォルダ管理例を示す説明図である。
【図１０】実施の形態に対応するディスク内のデータ構造例を示す概念図である。
【図１１】本実施の形態のビデオカメラにおける操作画面（サムネイル表示）の表示形態例を示す説明図である。
【図１２】再生メニューキーに対する操作例を示す説明図である。
【図１３】本実施の形態とされる自動トリミングモードとするための操作手順を表示パネル部の表示形態により示す説明図である。
【図１４】本実施の形態の自動トリミングモードのもとでの操作手順を表示パネル部の表示形態により示す説明図である。
【図１５】本実施の形態の自動トリミングモードの説明図である。
【図１６】本実施の形態とされる自動トリミング編集処理を示すフローチャートである。
【図１７】本実施の形態とされる一括トリミングモードの説明図である。
【符号の説明】
１  レンズブロック、２  カメラブロック、３  ビデオ信号処理部、４  メディアドライブ部、５  デッキ部、６  表示／画像／音声入出力部、６Ａ  表示部、６Ｂ  タッチパネル、７  操作部、８  外部インターフェイス、９  電源ブロック、１１  光学系、１２  モータ部、２２  サンプルホールド／ＡＧＣ回路、２３  Ａ／Ｄコンバータ、２４  タイミングジェネレータ、２５  カメラコントローラ、３１  データ処理／システムコントロール回路、３２  バッファメモリ、３３  ビデオ信号処理回路、３４  メモリ、３５  動き検出回路、３６  メモリ、３７  音声圧縮エンコーダ／デコーダ、３８  ビデオコントローラ、４１  ＭＤ−ＤＡＴＡ２エンコーダ／デコーダ、４２  バッファメモリ、４３  二値化回路、４４  ＲＦ信号処理回路、４５  サーボ回路、４６  ドライバコントローラ、５１  ディスク、５２  スピンドルモータ、５３  光学ヘッド、５４  磁気ヘッド、５５  スレッドモータ、６１  ビデオＤ／Ａコンバータ、６２  表示コントローラ、６３  コンポジット信号処理回路、６４  Ａ／Ｄコンバータ、６５Ｄ／Ａコンバータ、６６  アンプ、６７  表示パネル、１０１  ＲＦアンプ、１０３  ＡＧＣ／クランプ回路、１０４  イコライザ／ＰＬＬ回路、１０５  ビタビデコーダ、１０６  ＲＬＬ（１，７）復調回路、１０７  マトリクスアンプ、１０８  ＡＤＩＰバンドパスフィルタ、１０９  Ａ／Ｂトラック検出回路、１１０  ＡＤＩＰデコーダ、１１１  ＣＬＶプロセッサ、１１２  サーボプロセッサ、１１３  サーボドライバ、１１４  データバス、１１５  スクランブル／ＥＤＣエンコード回路、１１６  ＥＣＣ処理回路、１１７  デスクランブル／ＥＤＣデコード回路、１１８  ＲＬＬ（１，７）変調回路、１１９  磁気ヘッド駆動回路、１２０  レーザドライバ、１２１  転送クロック発生回路、２０１  カメラレンズ、２０２マイクロフォン、２０３  可動パネル部、２０４  ビューファインダ、２０５  スピーカ、２１０  ディスク挿脱部、３００  メインダイヤル、３０１  レリーズキー、３０２  削除キー、３０３  ジョグダイヤル、３０４フォトキー、３０５  ズームキー、３０６  フォーカスキー、３０７  逆光補正キー、３０８  再生／ポーズキー、３０９  停止キー、３１０  スロー再生キー、３１１，３１２  サーチキー、３１３  録音キー、３１４  画面表示キー、３１５，３１６  音量キー、３２０  ペン、４００  サーバ、Ａ−１  情報表示エリア、Ａ−２  サムネイル表示エリア、Ａ−３  メニューキーエリア、Ａ−４スクロールバー、Ａ５  トラック情報表示エリア、ｉ１〜ｉ１０，ｉ２０〜ｉ２１  （サムネイル画像上に表示される）アイコン、Ｌｄ  ランド、ＮＷＧ  ノンウォブルドグルーブ、ＷＧ  ウォブルドグルーブ、Ｔｒ・Ａ，Ｔｒ・Ｂ  トラック
【図１】
0004114317.tif 000006
【図２】
0004114317.tif 000007
【図３】
0004114317.tif 000008
【図４】
0004114317.tif 000009
【図５】
0004114317.tif 000010
【図６】
0004114317.tif 000011
【図７】
0004114317.tif 000012
【図８】
0004114317.tif 000013
【図９】
0004114317.tif 000014
【図１０】
0004114317.tif 000015
【図１１】
0004114317.tif 000016
【図１２】
0004114317.tif 000017
【図１３】
0004114317.tif 000018
【図１４】
0004114317.tif 000019
【図１５】
0004114317.tif 000020
【図１６】
0004114317.tif 000021
【図１７】
0004114317.tif 000022